(57)【要約】  本願は、非連続受信の方法、端末デバイス及びネットワークデバイスを開示し、当該方法は、第１の端末デバイスがＤＲＸ指示信号検出のためのＤＲＸ指示周期において、第１の端末デバイスがＤＲＸ指示信号を検出するためのターゲットＤＲＸ周期を確定することと、第１の端末デバイスが、当該ターゲットＤＲＸ周期においてネットワークデバイスにより送信されたＤＲＸ指示信号を検出することと、第１の端末デバイスが当該ＤＲＸ指示信号に基づいて、当該ＤＲＸ指示信号が検出された時点の後のＮ個のＤＲＸ周期におけるアクティブ化期間にウェイクアップ又はスリープすることとを含み、当該ＤＲＸ指示周期がＮ個のＤＲＸ周期を含み、当該ＤＲＸ指示信号は、第１の端末デバイスが当該ＤＲＸ指示信号が検出された時点の後のＮ個のＤＲＸ周期におけるアクティブ化期間にウェイクアップ又はスリープするように指示する。異なる端末デバイスがＤＲＸ指示信号を検出する時間位置が異なるため、異なる端末デバイスがＤＲＸ指示信号を検出する際に互いの干渉を低減し、消費電力を更に低減することができる。
2020537834.tif 000002
【特許請求の範囲】
【請求項１】
第１の端末デバイスが、前記第１の端末デバイスが非連続受信ＤＲＸ指示信号を検出するためのターゲットＤＲＸ周期を確定することと、
前記第１の端末デバイスが、前記ターゲットＤＲＸ周期において又は前記ターゲットＤＲＸ周期の前に、ネットワークデバイスにより送信されたＤＲＸ指示信号を検出することと、
前記第１の端末デバイスが前記ＤＲＸ指示信号に基づいて、前記ＤＲＸ指示信号が検出された時点の後の前記Ｍ個のＤＲＸ周期におけるアクティブ化期間にウェイクアップ又はスリープすることとを含み、
前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数である
ことを特徴とする非連続受信の方法。
【請求項２】
前記第１の端末デバイスが、前記第１の端末デバイスがＤＲＸ指示信号を検出するためのターゲットＤＲＸ周期を確定することは、
前記第１の端末デバイスがＤＲＸ指示信号の検出のためのＤＲＸ指示信号周期から前記ターゲットＤＲＸ周期を確定することを含み、
前記ＤＲＸ指示信号周期がＮ個のＤＲＸ周期を含み、Ｎが正の整数であり、Ｎ＝Ｍ又はＮ≠Ｍである
ことを特徴とする請求項１に記載の非連続受信の方法。
【請求項３】
前記第１の端末デバイスがＤＲＸ指示信号の検出のためのＤＲＸ指示信号周期において、前記第１の端末デバイスが前記ＤＲＸ指示信号を検出するためのターゲットＤＲＸ周期を確定することは、
前記第１の端末デバイスが前記第１の端末デバイスに対応するオフセット値を確定することと、
前記第１の端末デバイスが前記オフセット値に基づいて、前記ＤＲＸ指示信号周期から前記ターゲットＤＲＸ周期を確定することとを含み、
前記オフセット値は、前記ＤＲＸ指示信号周期における前記ターゲットＤＲＸ周期の位置を示す
ことを特徴とする請求項２に記載の非連続受信の方法。
【請求項４】
前記第１の端末デバイスが前記第１の端末デバイスに対応するオフセット値を確定することは、
前記第１の端末デバイスが前記第１の端末デバイスのデバイス識別子ＵＥ−ＩＤに基づいて、前記オフセット値を確定することを含む
ことを特徴とする請求項３に記載の非連続受信の方法。
【請求項５】
前記オフセット値はｍｏｄ（ＵＥ−ＩＤ，Ｎ）に等しい
ことを特徴とする請求項４に記載の非連続受信の方法。
【請求項６】
前記第１の端末デバイスが前記第１の端末デバイスに対応するオフセット値を確定することは、
前記第１の端末デバイスが前記第１の端末デバイスの常駐セル又はサービングセルのセル識別子Ｃｅｌｌ  ＩＤに基づいて、前記オフセット値を確定することを含む
ことを特徴とする請求項３に記載の非連続受信の方法。
【請求項７】
前記オフセット値はｍｏｄ（Ｃｅｌｌ  ＩＤ，Ｎ）に等しい
ことを特徴とする請求項６に記載の非連続受信の方法。
【請求項８】
前記第１の端末デバイスが前記第１の端末デバイスに対応するオフセット値を確定することは、
前記第１の端末デバイスが前記ネットワークデバイスにより送信された第１の構成情報を受信することを含み、
前記第１の構成情報は、前記オフセット値を示す
ことを特徴とする請求項３に記載の非連続受信の方法。
【請求項９】
前記第１の端末デバイスがＤＲＸ指示信号周期において、前記第１の端末デバイスが前記ＤＲＸ指示信号を検出するためのターゲットＤＲＸ周期を確定する前に、前記方法は、さらに、
前記第１の端末デバイスが、前記ネットワークデバイスによって無線リソース制御ＲＲＣ専用シグナリング、ブロードキャストシグナリング又はメディアアクセス制御要素ＭＡＣ  ＣＥにより送信された第２の構成情報を受信することを含み、
前記第２の構成情報は、前記ＤＲＸ指示信号周期に含まれるＤＲＸ周期の個数Ｎを示す
ことを特徴とする請求項１〜８のいずれか１項に記載の非連続受信の方法。
【請求項１０】
前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる
ことを特徴とする請求項１〜９のいずれか１項に記載の非連続受信の方法。
【請求項１１】
前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである
ことを特徴とする請求項１０に記載の非連続受信の方法。
【請求項１２】
前記ＤＲＸ指示信号周期の開始のシステムフレームのシステムフレーム番号ＳＦＮは、ｍｏｄ（ＳＦＮ，Ｎ×Ｔ）＝Ｋを満たし、
Ｋは予め設定された自然数であり、ＴはＤＲＸ周期に含まれるシステムフレームの数である
ことを特徴とする請求項１〜１１のいずれか１項に記載の非連続受信の方法。
【請求項１３】
ネットワークデバイスが、第１の端末デバイスに非連続受信ＤＲＸ指示信号を送信するためのターゲットＤＲＸ周期を確定することと、
前記第１の端末デバイスが前記ＤＲＸ指示信号に基づいて、前記ＤＲＸ指示信号が検出された時点の後の前記Ｍ個のＤＲＸ周期におけるアクティブ化期間にウェイクアップ又はスリープするように、前記ネットワークデバイスが前記ターゲットＤＲＸ周期において又は前記ターゲットＤＲＸ周期の前に、前記第１の端末デバイスに前記ＤＲＸ指示信号を送信することとを含み、
前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数である
ことを特徴とする非連続受信の方法。
【請求項１４】
前記ネットワークデバイスが第１の端末デバイスにＤＲＸ指示信号を送信するためのターゲットＤＲＸ周期を確定することは、
前記ネットワークデバイスが、端末デバイスのＤＲＸ指示信号の検出のためのＤＲＸ指示信号周期において、前記ターゲットＤＲＸ周期を確定することを含み、
前記ＤＲＸ指示信号周期がＮ個のＤＲＸ周期を含み、Ｎが正の整数であり、Ｎ＝Ｍ又はＮ≠Ｍである
ことを特徴とする請求項１３に記載の非連続受信の方法。
【請求項１５】
前記ネットワークデバイスが、非連続受信ＤＲＸ指示信号を送信するためのＤＲＸ指示信号周期からＤＲＸ指示信号を送信するためのターゲットＤＲＸ周期確定することは、
前記ネットワークデバイスが前記第１の端末デバイスに対応するオフセット値を確定することと、
前記ネットワークデバイスが前記オフセット値に基づいて、前記ＤＲＸ指示信号周期から前記ターゲットＤＲＸ周期を確定することとを含み、
前記オフセット値は、前記ＤＲＸ指示信号周期における前記ターゲットＤＲＸ周期の位置を示す
ことを特徴とする請求項１４に記載の非連続受信の方法。
【請求項１６】
前記ネットワークデバイスが前記第１の端末デバイスに対応するオフセット値を確定することは、
前記ネットワークデバイスが前記第１の端末デバイスのデバイス識別子ＵＥ−ＩＤに基づいて、前記オフセット値を確定することを含む
ことを特徴とする請求項１５に記載の非連続受信の方法。
【請求項１７】
前記オフセット値はｍｏｄ（ＵＥ−ＩＤ，Ｎ）に等しい
ことを特徴とする請求項１６に記載の非連続受信の方法。
【請求項１８】
前記ネットワークデバイスが前記第１の端末デバイスに対応するオフセット値を確定することは、
前記ネットワークデバイスが前記第１の端末デバイスの常駐セル又はサービングセルのセル識別子Ｃｅｌｌ  ＩＤに基づいて、前記オフセット値を確定することを含む
ことを特徴とする請求項１５に記載の非連続受信の方法。
【請求項１９】
前記オフセット値はｍｏｄ（Ｃｅｌｌ  ＩＤ，Ｎ）に等しい
ことを特徴とする請求項１８に記載の非連続受信の方法。
【請求項２０】
前記方法は、さらに、
前記ネットワークデバイスが第１の端末デバイスに第１の構成情報を送信することを含み、前記第１の構成情報は、前記オフセット値を示す
ことを特徴とする請求項１３〜１９のいずれか１項に記載の非連続受信の方法。
【請求項２１】
前記ネットワークデバイスが前記ターゲットＤＲＸ周期において又は前記ターゲットＤＲＸ周期の前に、前記第１の端末デバイスに前記ＤＲＸ指示信号を送信する前に、前記方法は、さらに、
前記ネットワークデバイスが無線リソース制御ＲＲＣ専用シグナリング、ブロードキャストシグナリング又はメディアアクセス制御要素ＭＡＣ  ＣＥを介して前記第１の端末デバイスに第２の構成情報を送信することを含み、前記第２の構成情報は、前記ＤＲＸ指示信号周期に含まれるＤＲＸ周期の個数Ｎを示す
ことを特徴とする請求項１３〜２０のいずれか１項に記載の非連続受信の方法。
【請求項２２】
前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる
ことを特徴とする請求項１３〜２１のいずれか１項に記載の非連続受信の方法。
【請求項２３】
前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである
ことを特徴とする請求項２２に記載の非連続受信の方法。
【請求項２４】
前記ＤＲＸ指示信号周期の開始のシステムフレームのシステムフレーム番号ＳＦＮは、ｍｏｄ（ＳＦＮ，Ｎ×Ｔ）＝Ｋを満たし、
Ｋは予め設定された自然数であり、ＴはＤＲＸ周期に含まれるシステムフレームの数である
ことを特徴とする請求項１３〜２３のいずれか１項に記載の非連続受信の方法。
【請求項２５】
確定ユニットと、送受信ユニットと、処理ユニットとを含む第１の端末デバイスである端末デバイスであって、
前記確定ユニットは、前記第１の端末デバイスが非連続受信ＤＲＸ指示信号を検出するためのターゲットＤＲＸ周期を確定するように構成され、
前記送受信ユニットは、前記確定ユニットにより確定された前記ＤＲＸ周期において、ネットワークデバイスにより送信されたＤＲＸ指示信号を検出するように構成され、前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数であり、
前記処理ユニットは、前記送受信ユニットにより検出された前記ＤＲＸ指示信号に基づいて、前記ＤＲＸ指示信号が検出された時点の後の前記Ｍ個のＤＲＸ周期におけるアクティブ化期間にウェイクアップ又はスリープするように構成される
ことを特徴とする端末デバイス。
【請求項２６】
前記確定ユニットは、
ＤＲＸ指示信号の検出のためのＤＲＸ指示信号周期において、前記ターゲットＤＲＸ周期を確定するように構成され、
前記ＤＲＸ指示信号周期がＮ個のＤＲＸ周期を含み、Ｎが正の整数であり、Ｎ＝Ｍ又はＮ≠Ｍである
ことを特徴とする請求項２５に記載の前記端末デバイス。
【請求項２７】
前記確定ユニットは、
前記第１の端末デバイスに対応するオフセット値を確定し、
前記オフセット値に基づいて、前記ＤＲＸ指示信号周期から前記ターゲットＤＲＸ周期を確定するように構成され、
前記オフセット値は、前記ＤＲＸ指示信号周期における前記ターゲットＤＲＸ周期の位置を示す
ことを特徴とする請求項２６に記載の前記端末デバイス。
【請求項２８】
前記確定ユニットは、
前記第１の端末デバイスのデバイス識別子ＵＥ−ＩＤに基づいて、前記オフセット値を確定するように構成される
ことを特徴とする請求項２７に記載の前記端末デバイス。
【請求項２９】
前記オフセット値はｍｏｄ（ＵＥ−ＩＤ，Ｎ）に等しい
ことを特徴とする請求項２８に記載の前記端末デバイス。
【請求項３０】
前記確定ユニットは、
前記第１の端末デバイスの常駐セル又はサービングセルのセル識別子Ｃｅｌｌ  ＩＤに基づいて、前記オフセット値を確定するように構成される
ことを特徴とする請求項２９に記載の前記端末デバイス。
【請求項３１】
前記オフセット値はｍｏｄ（Ｃｅｌｌ  ＩＤ，Ｎ）に等しい
ことを特徴とする請求項３０に記載の前記端末デバイス。
【請求項３２】
前記確定ユニットは、
前記送受信ユニットを介して前記ネットワークデバイスにより送信された第１の構成情報を受信するように構成され、
前記第１の構成情報は、前記オフセット値を示す
ことを特徴とする請求項２７に記載の前記端末デバイス。
【請求項３３】
前記送受信ユニットは、さらに、
前記ネットワークデバイスが無線リソース制御ＲＲＣ専用シグナリング、ブロードキャストシグナリング又はメディアアクセス制御要素ＭＡＣ  ＣＥを介して送信された第２の構成情報を受信するように構成され、
前記第２の構成情報は、前記ＤＲＸ指示信号周期に含まれるＤＲＸ周期の個数Ｎを示す
ことを特徴とする請求項２５〜３２のいずれか１項に記載の前記端末デバイス。
【請求項３４】
前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる
ことを特徴とする請求項２５〜３３のいずれか１項に記載の前記端末デバイス。
【請求項３５】
前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである
ことを特徴とする請求項３４に記載の前記端末デバイス。
【請求項３６】
前記ＤＲＸ指示信号周期の開始のシステムフレームのシステムフレーム番号ＳＦＮは、ｍｏｄ（ＳＦＮ，Ｎ×Ｔ）＝Ｋを満たし、
Ｋは予め設定された自然数であり、ＴはＤＲＸ周期に含まれるシステムフレームの数である
ことを特徴とする請求項２５〜３５のいずれか１項に記載の前記端末デバイス。
【請求項３７】
確定ユニットと送受信ユニットとを含むネットワークデバイスであって、
前記確定ユニットは、第１の端末デバイスに非連続受信ＤＲＸ指示信号を送信するためのターゲットＤＲＸ周期を確定するように構成され、
前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数であり、
前記送受信ユニットは、前記第１の端末デバイスが前記ＤＲＸ指示信号に基づいて、前記ＤＲＸ指示信号が検出された時点の後の前記Ｍ個のＤＲＸ周期におけるアクティブ化期間にウェイクアップ又はスリープするように、前記確定ユニットにより確定された前記ターゲットＤＲＸ周期において又は前記ターゲットＤＲＸ周期の前に、前記第１の端末デバイスに前記ＤＲＸ指示信号を送信するように構成される
ことを特徴とするネットワークデバイス。
【請求項３８】
前記確定ユニットは、
端末デバイスのＤＲＸ指示信号の検出するためのＤＲＸ指示信号周期から前記ターゲットＤＲＸ周期を確定するように構成され、
前記ＤＲＸ指示信号周期がＮ個のＤＲＸ周期を含み、Ｎが正の整数であり、Ｎ＝Ｍ又はＮ≠Ｍである
ことを特徴とする請求項３７に記載のネットワークデバイス。
【請求項３９】
前記確定ユニットは、
前記第１の端末デバイスに対応するオフセット値を確定し、
前記オフセット値に基づいて、前記ＤＲＸ指示信号周期から前記ターゲットＤＲＸ周期を確定するように構成され、
前記オフセット値は、前記ＤＲＸ指示信号周期における前記ターゲットＤＲＸ周期の位置を示す
ことを特徴とする請求項３８に記載のネットワークデバイス。
【請求項４０】
前記確定ユニットは、
前記第１の端末デバイスのデバイス識別子ＵＥ−ＩＤに基づいて、前記オフセット値を確定するように構成される
ことを特徴とする請求項３９に記載のネットワークデバイス。
【請求項４１】
前記オフセット値はｍｏｄ（ＵＥ−ＩＤ，Ｎ）に等しい
ことを特徴とする請求項４０に記載のネットワークデバイス。
【請求項４２】
前記確定ユニットは、
前記第１の端末デバイスの常駐セル又はサービングセルのセル識別子Ｃｅｌｌ  ＩＤに基づいて、前記オフセット値を確定するように構成される
ことを特徴とする請求項３９に記載のネットワークデバイス。
【請求項４３】
前記オフセット値はｍｏｄ（Ｃｅｌｌ  ＩＤ，Ｎ）に等しい
ことを特徴とする請求項４２に記載のネットワークデバイス。
【請求項４４】
前記送受信ユニットは、さらに、
第１の端末デバイスに第１の構成情報を送信するように構成され、
前記第１の構成情報は、前記オフセット値を示す
ことを特徴とする請求項３７〜４３のいずれか１項に記載のネットワークデバイス。
【請求項４５】
前記送受信ユニットは、さらに、
無線リソース制御ＲＲＣ専用シグナリング、ブロードキャストシグナリング又はメディアアクセス制御要素ＭＡＣ  ＣＥを介して前記第１の端末デバイスに第２の構成情報を送信するように構成され、前記第２の構成情報は、前記ＤＲＸ指示信号周期に含まれるＤＲＸ周期の個数Ｎを示す
ことを特徴とする請求項３７〜４４のいずれか１項に記載のネットワークデバイス。
【請求項４６】
前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる
ことを特徴とする請求項３７〜４５のいずれか１項に記載のネットワークデバイス。
【請求項４７】
前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである
ことを特徴とする請求項４６に記載のネットワークデバイス。
【請求項４８】
前記ＤＲＸ指示信号周期の開始のシステムフレームのシステムフレーム番号ＳＦＮは、ｍｏｄ（ＳＦＮ，Ｎ×Ｔ）＝Ｋを満たし、
Ｋは予め設定された自然数であり、ＴはＤＲＸ周期に含まれるシステムフレームの数である
ことを特徴とする請求項３７〜４７のいずれか１項に記載のネットワークデバイス。
【発明の詳細な説明】
【技術分野】
【０００１】
本願の実施例は、無線通信分野に関し、具体的に、非連続受信の方法、端末デバイス及びネットワークデバイスに関する。
【背景技術】
【０００２】
端末デバイスの省電力化を考慮して、非連続送信(Ｄｉｓｃｏｎｔｉｎｕｏｕｓ  Ｒｅｃｅｐｔｉｏｎ、ＤＲＸ)メカニズムが導入されている。各ＤＲＸ周期(ＤＲＸ  Ｃｙｃｌｅ)には、アクティブ化期間( ｏｎ ｄｕｒａｔｉｏｎ )及びスリープ期間( Ｏｐｐｏｒｔｕｎｉｔｙ ｆｏｒ ＤＲＸ )が含まれ、アクティブ化期間に端末デバイスは制御チャネルを検出し、スリープ期間に端末デバイスは制御チャネルの受信を停止することによって(端末デバイスは制御チャネルのブラインド検出を停止する)、電力消費を低減し、バッテリ使用時間を向上させることができる。
【０００３】
ネットワークは、端末デバイスが定期的にアクティブ化期間中に制御チャネルを検出するようにＤＲＸメカニズムを端末デバイスに構成するが、端末デバイスはアクティブ化期間中に単に機会的にスケジューリングされるだけであり、端末デバイスはサービス負荷が低い場合でも少数のＤＲＸ周期のみでスケジューリングされ、ＤＲＸメカニズムを採用するページングメッセージの場合、端末がページングメッセージを受信する機会はより少ない。従って、端末デバイスは、ＤＲＸメカニズムを構成した後、多数のアクティブ化期間に制御チャネルを検出することができず、依然としてウェイクアップする可能性があり、これにより、不要な電力消費が増大する。
【発明の概要】
【０００４】
本願の実施例は、端末デバイスの電力消費を低減することができる非連続受信の方法、端末デバイス及びネットワークデバイスを提供する。
【０００５】
第１の形態は、非連続受信の方法を提供し、第１の端末デバイスが、前記第１の端末デバイスが非連続受信ＤＲＸ指示信号を検出するためのターゲットＤＲＸ周期を確定することと、前記第１の端末デバイスが、前記ターゲットＤＲＸ周期において又は前記ターゲットＤＲＸ周期の前に、ネットワークデバイスにより送信されたＤＲＸ指示信号を検出することと、前記第１の端末デバイスが前記ＤＲＸ指示信号に基づいて、前記ＤＲＸ指示信号が検出された時点の後の前記Ｍ個のＤＲＸ周期におけるアクティブ化期間にウェイクアップ又はスリープすることとを含み、前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数である。
【０００６】
そこで、端末デバイスは、所定の時点で自分のＤＲＸ指示信号を検出し、検出されたＤＲＸ指示信号から、その後のＤＲＸ指示期間のアクティブ化期間に自分がスケジュールされているか否かを知ることで、スケジュールされていない場合にはスリープ状態を維持し、消費電力を更に低減する。さらに、該ＤＲＸ指示信号が複数の端末デバイスのウェイクアップ及びスリープを指示する場合、異なる端末デバイスが該ＤＲＸ指示信号を検出する時間位置が異なるため、異なる端末デバイスがＤＲＸ指示信号を検出する際に互いの干渉を低減し、消費電力を更に低減することができる。
【０００７】
１つの可能な実現方式では、前記第１の端末デバイスが、前記第１の端末デバイスがＤＲＸ指示信号を検出するためのターゲットＤＲＸ周期を確定することは、前記第１の端末デバイスがＤＲＸ指示信号の検出のためのＤＲＸ指示信号周期から前記ターゲットＤＲＸ周期を確定することを含み、前記ＤＲＸ指示信号周期がＮ個のＤＲＸ周期を含み、Ｎが正の整数であり、Ｎ＝Ｍ又はＮ≠Ｍである。
【０００８】
１つの可能な実現方式では、前記第１の端末デバイスがＤＲＸ指示信号の検出のためのＤＲＸ指示信号周期において、前記第１の端末デバイスが前記ＤＲＸ指示信号を検出するためのターゲットＤＲＸ周期を確定することは、前記第１の端末デバイスが前記第１の端末デバイスに対応するオフセット値を確定することと、前記第１の端末デバイスが前記オフセット値に基づいて、前記ＤＲＸ指示信号周期から前記ターゲットＤＲＸ周期を確定することとを含み、前記オフセット値は、前記ＤＲＸ指示信号周期における前記ターゲットＤＲＸ周期の位置を示す。
【０００９】
１つの可能な実現方式では、前記第１の端末デバイスが前記第１の端末デバイスに対応するオフセット値を確定することは、前記第１の端末デバイスが前記第１の端末デバイスのデバイス識別子ＵＥ−ＩＤに基づいて、前記オフセット値を確定することを含む。
【００１０】
１つの可能な実現方式では、前記オフセット値はｍｏｄ（ＵＥ−ＩＤ，Ｎ）に等しい。
【００１１】
１つの可能な実現方式では、前記第１の端末デバイスが前記第１の端末デバイスに対応するオフセット値を確定することは、前記第１の端末デバイスが前記第１の端末デバイスの常駐セル又はサービングセルのセル識別子Ｃｅｌｌ  ＩＤに基づいて、前記オフセット値を確定することを含む。
【００１２】
１つの可能な実現方式では、前記オフセット値はｍｏｄ（Ｃｅｌｌ  ＩＤ，Ｎ）に等しい。
【００１３】
１つの可能な実現方式では、前記第１の端末デバイスが前記第１の端末デバイスに対応するオフセット値を確定することは、前記第１の端末デバイスが前記ネットワークデバイスにより送信された第１の構成情報を受信することを含み、前記第１の構成情報は、前記オフセット値を示す。
【００１４】
１つの可能な実現方式では、前記第１の端末デバイスがＤＲＸ指示信号周期において、前記第１の端末デバイスが前記ＤＲＸ指示信号を検出するためのターゲットＤＲＸ周期を確定する前に、前記方法は、さらに、前記第１の端末デバイスが、前記ネットワークデバイスによって無線リソース制御ＲＲＣ専用シグナリング、ブロードキャストシグナリング又はメディアアクセス制御要素ＭＡＣ  ＣＥにより送信された第２の構成情報を受信することを含み、前記第２の構成情報は、前記ＤＲＸ指示信号周期に含まれるＤＲＸ周期の個数Ｎを示す。
【００１５】
１つの可能な実現方式では、前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
ここで、前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる。
【００１６】
１つの可能な実現方式では、前記複数の端末デバイスが複数のデバイスグループにおける１つのデバイスグループに属し、前記第１の端末デバイスが属するデバイスグループが、前記第１の端末デバイスのＵＥ−ＩＤ、前記第１の端末デバイスのアクセスレベル、前記デバイスグループを示す構成パラメータに基づいて確定されたものである。
【００１７】
１つの可能な実現方式では、前記ＤＲＸ指示信号周期の開始のシステムフレームのシステムフレーム番号ＳＦＮは、ｍｏｄ（ＳＦＮ，Ｎ×Ｔ）＝Ｋを満たし、ここで、Ｋは予め設定された自然数であり、ＴはＤＲＸ周期に含まれるシステムフレームの数である。
【００１８】
第２の形態は、非連続受信の方法を提供し、ネットワークデバイスが第１の端末デバイスに非連続受信ＤＲＸ指示信号を送信するためのターゲットＤＲＸ周期を確定することと、前記第１の端末デバイスが前記ＤＲＸ指示信号に基づいて、前記ＤＲＸ指示信号が検出された時点の後の前記Ｍ個のＤＲＸ周期におけるアクティブ化期間にウェイクアップ又はスリープするように、前記ネットワークデバイスが前記ターゲットＤＲＸ周期において又は前記ターゲットＤＲＸ周期の前に、前記第１の端末デバイスに前記ＤＲＸ指示信号を送信することとを含み、前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数である。
【００１９】
そこで、ネットワークデバイスは、特定の時点に、ウェイクアップ又はスリープが必要な端末デバイスに通知するように、ＤＲＸ指示信号を送信することにより、端末デバイスが、特定の時間位置において当該ＤＲＸ指示信号を検出し、検出されたＤＲＸ指示信号から、その後のＤＲＸ指示周期におけるアクティブ化期間に、自分がスケジュールされているか否かを知ることができ、スケジュールされていない場合には、消費電力を更に低減するためにスリープを維持する。また、該ＤＲＸ指示信号が複数の端末デバイスのウェイクアップ及びスリープを指示する場合、異なる端末デバイスが該ＤＲＸ指示信号を検出する時間位置が異なるため、異なる端末デバイスがＤＲＸ指示信号を検出する際に互いの干渉を低減し、消費電力を更に低減することができる。
【００２０】
１つの可能な実現方式では、前記ネットワークデバイスが第１の端末デバイスにＤＲＸ指示信号を送信するためのターゲットＤＲＸ周期を確定することは、前記ネットワークデバイスが、端末デバイスのＤＲＸ指示信号の検出のためのＤＲＸ指示信号周期から前記ターゲットＤＲＸ周期を確定することを含み、前記ＤＲＸ指示信号周期がＮ個のＤＲＸ周期を含み、Ｎが正の整数であり、Ｎ＝Ｍ又はＮ≠Ｍである。
【００２１】
１つの可能な実現方式では、前記ネットワークデバイスが、非連続受信ＤＲＸ指示信号を送信するためのＤＲＸ指示信号周期からＤＲＸ指示信号を送信するためのターゲットＤＲＸ周期確定することは、前記ネットワークデバイスが前記第１の端末デバイスに対応するオフセット値を確定することと、前記ネットワークデバイスが前記オフセット値に基づいて、前記ＤＲＸ指示信号周期から前記ターゲットＤＲＸ周期を確定することとを含み、前記オフセット値は、前記ＤＲＸ指示信号周期における前記ターゲットＤＲＸ周期の位置を示す。
【００２２】
１つの可能な実現方式では、前記ネットワークデバイスが前記第１の端末デバイスに対応するオフセット値を確定することは、前記ネットワークデバイスが前記第１の端末デバイスのデバイス識別子ＵＥ−ＩＤに基づいて、前記オフセット値を確定することを含む。
【００２３】
１つの可能な実現方式では、前記オフセット値はｍｏｄ（ＵＥ−ＩＤ，Ｎ）に等しい。
【００２４】
１つの可能な実現方式では、前記ネットワークデバイスが前記第１の端末デバイスに対応するオフセット値を確定することは、前記ネットワークデバイスが前記第１の端末デバイスの常駐セル又はサービングセルのセル識別子Ｃｅｌｌ  ＩＤに基づいて、前記オフセット値を確定することを含む。
【００２５】
１つの可能な実現方式では、前記オフセット値はｍｏｄ（Ｃｅｌｌ  ＩＤ，Ｎ）に等しい。
【００２６】
１つの可能な実現方式では、前記方法は、さらに、前記ネットワークデバイスが第１の端末デバイスに第１の構成情報を送信することを含み、前記第１の構成情報は、前記オフセット値を示す。
【００２７】
１つの可能な実現方式では、前記ネットワークデバイスが前記ターゲットＤＲＸ周期において又は前記ターゲットＤＲＸ周期の前に、前記第１の端末デバイスに前記ＤＲＸ指示信号を送信する前に、前記方法は、さらに、前記ネットワークデバイスが無線リソース制御ＲＲＣ専用シグナリング、ブロードキャストシグナリング又はメディアアクセス制御要素ＭＡＣ  ＣＥを介して前記第１の端末デバイスに第２の構成情報を送信することを含み、前記第２の構成情報は、前記ＤＲＸ指示信号周期に含まれるＤＲＸ周期の個数Ｎを示す。
【００２８】
１つの可能な実現方式では、前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
ここで、前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる。
【００２９】
１つの可能な実現方式では、前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである。
【００３０】
１つの可能な実現方式では、前記ＤＲＸ指示信号周期の開始のシステムフレームのシステムフレーム番号ＳＦＮは、ｍｏｄ（ＳＦＮ，Ｎ×Ｔ）＝Ｋを満たし、ここで、Ｋは予め設定された自然数であり、ＴはＤＲＸ周期に含まれるシステムフレームの数である。
【００３１】
第３の態様は、上記第１の態様又は第１の態様の任意の可能な実装態様における第１の端末デバイスの動作を実行することができる端末デバイスが提供される。具体的には、端末デバイスは、上記の第１の態様又は第１の態様の任意の可能な実装形態における第１の端末デバイスの動作を実行するためのモジュールユニットを含み得る。
【００３２】
第４の態様は、上記第２の態様又は第２の態様の任意の可能な実装態様におけるネットワークデバイスの動作を実行することができるネットワークデバイスを提供する。特に、ネットワークデバイスは、上記の第２の態様または第２の態様の任意の可能な実装形態におけるネットワークデバイスの動作を実行するためのモジュール要素を含み得る。
【００３３】
第５の態様は、プロセッサと、送受信機と、メモリとを具備する端末デバイスを提供する。ここで、プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、端末デバイスに、第１の態様または第１の態様の任意の可能な実装形態における方法を実行させるか、または、端末デバイスに、第３の態様で提供される端末デバイスを実現させる。
【００３４】
第６の態様は、プロセッサと、送受信機と、メモリとを具備するネットワークデバイスを提供する。ここで、プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、ネットワークデバイスに、第２の態様または第２の態様の任意の可能な実装形態における方法を実行させるか、または、ネットワークデバイスに、第４の態様で提供されるネットワークデバイスを実現させる。
【００３５】
第７の態様は、端末デバイスに上記第１の態様及びその様々な実施態様のいずれかの非連続受信の方法を実行させるプログラムを記憶したコンピュータ可読記憶媒体を提供する。
【００３６】
第８の態様は、ネットワークデバイスに上記第２の態様及びその様々な実施態様のいずれかの非連続受信の方法を実行させるプログラムを記憶したコンピュータ可読記憶媒体を提供する。
【００３７】
第９の態様は、入力インターフェースと、出力インターフェースと、プロセッサと、メモリとを含むシステムチップを提供し、当該プロセッサは、当該メモリに記憶された命令を実行し、当該命令が実行されると、当該プロセッサは、第１の態様または第１の態様の任意の可能な実装形態における方法を実現する。
【００３８】
第１０の態様は、入力インターフェースと、出力インターフェースと、プロセッサと、メモリとを含むシステムチップを提供し、当該プロセッサは、当該メモリに記憶された命令を実行し、当該命令が実行されると、当該プロセッサは、第２の態様または第２の態様の任意の可能な実装形態における方法を実現する。
【００３９】
第１１の態様は、命令を含むコンピュータプログラム製品を提供し、コンピュータプログラム製品がコンピュータ上で実行されると、コンピュータに、第１の態様または第１の態様の任意の可能な実装形態における方法を実行させる。
【００４０】
第１２の態様は、命令を含むコンピュータプログラム製品を提供し、コンピュータプログラム製品がコンピュータ上で実行されると、コンピュータに、第２の態様または第２の態様の任意の可能な実装形態における方法を実行させる。
【図面の簡単な説明】
【００４１】
【図１】本願の実施例における応用場面の構成図である。
【図２】ＤＲＸ周期の模式図である。
【図３】本願の実施例における非連続受信の方法のフローチャートである。
【図４】本願の実施例におけるターゲットＤＲＸ周期の確定方法のフローチャートである。
【図５】本願の実施例におけるターゲットＤＲＸ周期の模式図である。
【図６】本願の他の実施例における非連続受信の方法のフローチャートである。
【図７】本願の実施例における端末デバイスのブロック図である。
【図８】本願の実施例におけるネットワークデバイスのブロック図である。
【図９】本願の実施例における端末デバイスの構成図である。
【図１０】本願の実施例におけるネットワークデバイスの構成図である。
【図１１】本願の実施例におけるシステムチップの構成図である。
【発明を実施するための形態】
【００４２】
以下、本願の実施の形態について図面を参照して説明する。
【００４３】
本願の実施例の技術的解決策は、例えば、全地球移動通信(Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ )システム、符号分割多元接続(Ｃｏｄｅ  Ｄｉｖｉｓｉｏｎ  Ｍｕｌｔｉｐｌｅ  Ａｃｃｅｓｓ：ＣＤＭＡ)システム、広帯域符号分割多元接続(Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ)システム、ロングタームエボリューション(Ｌｏｎｇ  Ｔｅｒｍ  Ｅｖｏｌｕｔｉｏｎ：ＬＴＥ)システム、ＬＴＥ周波数分割複信(Ｆｒｅｑｕｅｎｃｙ  Ｄｉｖｉｓｉｏｎ  Ｄｕｐｌｅｘ：ＦＤＤ)システム、ＬＴＥ時分割複信(Ｔｉｍｅ  Ｄｉｖｉｓｉｏｎ  Ｄｕｐｌｅｘ：ＴＤＤ)、汎用移動通信システム(Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ)、又は将来の５Ｇシステム等の様々な通信システムに適用可能であることが理解されるべきである。
【００４４】
本願の実施例における端末デバイスは、ユーザ装置(Ｕｓｅｒ Ｅｑｕｉｐｍｅｎｔ)、アクセス端末、ユーザデバイス、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ)電話、ワイヤレスローカルループ(Ｗｉｒｅｌｅｓｓ Ｌｏｃａｌ Ｌｏｏｐ：ＷＬＬ)局、パーソナルデジタル処理(Ｐｅｒｓｏｎａｌ Ｄｉｇｉｔａｌ Ａｓｓｉｓｔａｎｔ：ＰＤＡ)、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来に発展する公共地上モバイル通信ネットワーク(Ｐｕｂｌｉｃ Ｌａｎｄ Ｍｏｂｉｌｅ Ｎｅｔｗｏｒｋ：ＰＬＭＮ)における端末デバイスなどであり得るが、本開示の実施例は限定されない。
【００４５】
本願はネットワークデバイスを参照し各実施例を説明する。ネットワークデバイスは、端末デバイスと通信するための装置であってもよく、該ネットワークデバイスは、ＧＳＭ又はＣＤＭＡにおける基地局(Ｂａｓｅ Ｔｒａｎｓｃｅｉｖｅｒ Ｓｔａｔｉｏｎ：ＢＴＳ)、ＷＣＤＭＡシステムにおける基地局(ＮｏｄｅＢ：ＮＢ)、ＬＴＥシステムにおける発展型基地局(Ｅｖｏｌｕｔｉｏｎａｌ ＮｏｄｅＢ  ｅＮＢ又はｅＮｏｄｅＢ )、又は該ネットワークデバイスは、中継局、アクセスポイント、車載装置、ウェアラブル装置、及び将来の５Ｇネットワークにおけるネットワークデバイス、又は将来の発展型ＰＬＭＮネットワークにおけるネットワークデバイス等であってもよく、本願の実施例は限定されない。
【００４６】
図１は、本願の実施例に係る応用シーンの概略図である。図１の通信システムは、ネットワークデバイス１０と端末デバイス２０とを含む。ネットワークデバイス１０は、端末デバイス２０に通信サービスを提供し、コアネットワークにアクセスするためのものであり、端末デバイス２０は、ネットワークデバイス１０により送信された同期信号やブロードキャスト信号等を検索することによりネットワークにアクセスし、ネットワークとの通信を行う。図１に示される矢印は、端末デバイス２０とネットワークデバイス１０との間のセルラーリンクを介した上り/下りの伝送を表すことができる。
【００４７】
本願の実施例におけるネットワークは、パブリック地上波モバイルネットワーク( Ｐｕｂｌｉｃ Ｌａｎｄ Ｍｏｂｉｌｅ Ｎｅｔｗｏｒｋ、ＰＬＭＮ )またはデバイスツーデバイス( Ｄｅｖｉｃｅ ｔｏ Ｄｅｖｉｃｅ、Ｄ２Ｄ )ネットワークまたはＭ２Ｍ( Ｍａｃｈｉｎｅ ｔｏ Ｍａｃｈｉｎｅ / Ｍａｎ)ネットワークまたは他のネットワークを指すことができ、図１は、単なる例示的な簡略図であり、ネットワークには、他の端末デバイスも含まれてよく、図１には示されていない。
【００４８】
端末デバイスのＤＲＸ周期( ＤＲＸ Ｃｙｃｌｅ )には、アクティブ化期間( ｏｎ ｄｕｒａｔｉｏｎ )とスリープ期間( Ｏｐｐｏｒｔｕｎｉｔｙ ｆｏｒ ＤＲＸ )が含まれ、例えば、図２に示すように、端末デバイスは、アクティブ化期間内、すなわちｏｎ ｄｕｒａｔｉｏｎの期間内に物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )を検出(又は、リッスン)することができ、端末デバイスは、スリープ期間内、すなわちＯｐｐｏｒｔｕｎｉｔｙ ｆｏｒ ＤＲＸの期間内にＰＤＣＣＨの受信を停止することにより(この場合、端末デバイスは、ＰＤＣＣＨ又はページングメッセージのブラインド検出を停止する)、電力消費を低減し、バッテリ使用時間を向上させることができる。端末デバイスは、アクティブ化期間においてはＰＤＣＣＨを検出するためのウェイクアップ状態にあり、スリープ期間においてはチャネルや信号の検出を行わないスリープ状態に入るといえる。
【００４９】
ネットワークは、端末デバイスが定期的にアクティブ化期間中に制御チャネルを検出するようにＤＲＸメカニズムを端末デバイスに構成するが、端末デバイスはアクティブ化期間中に単に機会的にスケジューリングされるだけであり、端末デバイスはサービス負荷が低い場合でも少数のＤＲＸ周期のみでスケジューリングされ、ＤＲＸメカニズムを採用するページングメッセージの場合、端末がページングメッセージを受信する機会はより少ない。従って、端末デバイスは、ＤＲＸメカニズムを構成した後、多数のＤＲＸ周期のアクティブ化期間に制御チャネルを検出することができず、依然としてウェイクアップする可能性があり、これにより、不要な電力消費が増大する。
【００５０】
そこで、本願の実施例では、端末デバイスは、特定の時点で自分のＤＲＸ指示信号を検出し、そのＤＲＸ指示信号から、その後の複数のＤＲＸ周期におけるアクティブ化期間内に、本当に自身がスケジュールされているか否かを知ることで、スケジュールされていない場合はスリープ状態を維持して、消費電力を更に低減する。さらに、このＤＲＸ指示信号が複数の端末デバイスのウェイクアップ及びスリープを指示する場合、異なる端末デバイスがＤＲＸ指示信号を検出する時間位置が異なるため、異なる端末デバイスがＤＲＸ指示信号を検出する際に互いの干渉を低減し、消費電力を更に低減することができる。
【００５１】
本願の実施例は、ＰＤＣＣＨの検出だけでなく、ページングメッセージの検出にも使用され得る。ページングメッセージの送信は、ＲＲＣアイドル状態におけるＤＲＸメカニズムでもあり、この場合、ＤＲＸ周期はページング周期となる。ページング無線フレーム( Ｐａｇｉｎｇ Ｆｒａｍｅ、ＰＦ )は、特定の無線フレーム又はシステムフレームと呼ばれ、端末デバイスは、ＰＦ内の特定のサブフレーム、即ちページング時点( Ｐａｇｉｎｇ Ｏｃｃａｓｉｏｎ、ＰＯ )においてページング（Ｐａｇｉｎｇ）メッセージの受信を試みることができる。このＰＯ上で、ページング無線ネットワーク一時識別子( Ｐａｇｉｎｇ Ｒａｄｉｏ Ｎｅｔｗｏｒｋ Ｔｅｍｐｏｒｙ Ｉｄｅｎｔｉｔｙ、Ｐ−ＲＮＴＩ )を使用してスクランブルされ、このページングメッセージを示す物理ダウンリンク制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )が伝送され得る。ＤＲＸが使用される場合、端末デバイスは、ＤＲＸ周期( ＤＲＸ ｃｙｃｌｅ )ごとに１個のＰＯを検出するだけでよい。すなわち、各端末デバイスについて、ページングメッセージを送信するために、ＤＲＸ周期毎に１サブフレームしか使用できず、ＰＦは、このページングメッセージを送信するためのシステムフレームであり、ＰＯは、ページングメッセージを送信するためのPF内のサブフレームである。
【００５２】
図３は本願の実施例における非連続受信の方法のフローチャートである。図３に示す方法が第１の端末デバイスにより実行され、当該第１の端末デバイスが図１に示す端末デバイス２０である。図３に示すように、当該非連続受信の方法は、３１０〜３３０を含む。
【００５３】
３１０において、第１の端末デバイスが、第１の端末デバイスがＤＲＸ指示信号を検出するためのターゲットＤＲＸ周期を確定する。
【００５４】
３２０において、第１の端末デバイスが当該ターゲットＤＲＸ周期において又は当該ターゲットＤＲＸ周期の前に、ネットワークデバイスにより送信されたＤＲＸ指示信号を検出する。
【００５５】
ここで、当該ＤＲＸ指示信号は、第１の端末デバイスが当該ＤＲＸ指示信号が検出された時点の後のＭ個のＤＲＸ周期におけるアクティブ化期間にウェイクアップ又はスリープするように指示し、当該Ｍ個のＤＲＸ周期は、第１の端末デバイスのＤＲＸ指示周期であり、Ｍは正の整数である。
【００５６】
３３０において、第１の端末デバイスが当該ＤＲＸ指示信号に基づいて、当該ＤＲＸ指示信号が検出された時点の後の前記Ｍ個のＤＲＸ周期におけるアクティブ化期間にウェイクアップ又はスリープする。
【００５７】
具体的には、第１の端末デバイスが、第１の端末デバイスが不連続ＤＲＸ指示信号を検出するためのターゲットＤＲＸ周期を確定した後、ネットワークデバイスが送信したＤＲＸ指示信号を当該ターゲットＤＲＸ周期において検出してもよいし(例えば、ＤＲＸ周期のアクティブ化期間の１番目のサブフレーム又は１番目のスロットにおいてＤＲＸ指示信号が検出されてもよい)、又はターゲットＤＲＸ周期の前にＤＲＸ指示信号を検出してもよい。当該ＤＲＸ指示信号は、第１の端末デバイスのＤＲＸ指示周期におけるアクティブ化期間にウェイクアップか又はスリープであるかを指示するために用いられる。第１の端末デバイスのＤＲＸ指示周期は、Ｍ個のＤＲＸ周期を含み、第１の端末デバイスのＤＲＸ指示周期におけるアクティブ化期間、即ち、Ｍ個のＤＲＸ周期におけるアクティブ化期間を示す。
【００５８】
即ち、第１の端末デバイスのＤＲＸ指示周期は、ターゲットＤＲＸ周期中又はターゲットＤＲＸ周期の前に第１の端末デバイスによって検出されたＤＲＸ指示信号の有効期間であり、当該ＤＲＸ指示信号は、端末デバイスがＤＲＸ指示周期(即ち、その後のＭ個のＤＲＸ周期)においてウェイクアップか又はスリープを示す。異なる端末デバイスのＤＲＸ指示周期は、同じであっても異なってもよい。Ｍの具体的な数値は、ネットワークデバイスを介して端末デバイスに設定されてもよいし、ネットワークデバイスと端末デバイスとが合意する端末デバイスに予め格納されている値であってもよい。
【００５９】
任意選択で、３１０において、第１の端末デバイスが、前記第１の端末デバイスがＤＲＸ指示信号を検出するためのターゲットＤＲＸ周期を確定することは、前記第１の端末デバイスは、ＤＲＸ指示信号検出を行うためのＤＲＸ指示信号周期から前記ターゲットＤＲＸ周期を確定することを含み、当該ＤＲＸ指示信号周期は、Ｎ個のＤＲＸ周期を含み、Ｎは正の整数、Ｎ＝Ｍ又はＮ≠Ｍである。
【００６０】
具体的には、１つのグループの端末デバイスのがＤＲＸ指示信号の検出を行うためのＤＲＸ指示信号周期を設定し、１つのＤＲＸ指示信号周期がＮ個のＤＲＸ周期を含み、１つのグループ端末デバイスのうちの第１の端末デバイスは、このＤＲＸ指示信号周期のうちのどのＤＲＸ周期で自分がＤＲＸ指示信号を検出すべきかを確定し、第１の端末デバイスは、ＤＲＸ指示信号周期から、ＤＲＸ指示信号を検出するためのターゲットＤＲＸ周期を確定した後、このターゲットＤＲＸ周期又はターゲットＤＲＸ周期の前にＤＲＸ指示信号を検出し、このＤＲＸ指示信号の指示に従い、このＤＲＸ指示信号が検出された時点の後のＭ個のＤＲＸ周期のアクティブ化期間にウェイクアップ又はスリープする。
【００６１】
本願の実施例において、ＤＲＸ周期( ＤＲＸ Ｃｙｃｌｅ )、ＤＲＸ指示周期、及びＤＲＸ指示信号周期は、異なる意味を有することを理解されたい。ＤＲＸ周期は、図２に示される時間期間であり、ＤＲＸ指示周期は、Ｍ個のＤＲＸ周期を含み、端末デバイスがＤＲＸ指示信号を検出した後、次のＤＲＸ指示周期において全てＤＲＸ指示信号の指示、即ち、ウェイクアップ又はスリープを実行することができることを示し、ＤＲＸ指示信号周期は、Ｎ個のＤＲＸ周期を含み、１つのグループの端末デバイスのがＤＲＸ指示信号の検出を行い、これらのＮ個のＤＲＸ周期のうちの異なるＤＲＸ周期は、それぞれ異なる端末デバイスがＤＲＸ指示信号の検出を行うために使用される。ＭはＮと等しくてもよいし、等しくなくてもよい。
【００６２】
任意選択で、このＤＲＸ指示信号周期の開始システムフレーム(単にフレームと呼ぶ)のシステムフレーム番号( Ｓｙｓｔｅｍ Ｆｒａｍｅ Ｎｕｍｂｅｒ、ＳＦＮ )が、ｍｏｄ(ＳＦＮ、Ｎ×Ｔ)＝Ｋを満たし、ここで、Ｋは予め設定された自然数(即ち、Ｋは０又は正の整数)であり、ＴはＤＲＸ周期に含まれるシステムフレームの数である。
【００６３】
例えば、好ましくは、Ｋ＝０のとき、このＤＲＸ指示信号周期は、開始フレームがｍｏｄ(ＳＦＮ，Ｎ×Ｔ１ )＝０を満たし、長さがＮ×Ｔに等しい期間である。Ｎ＝４である場合、ＳＦＮ＝０、ＳＦＮ＝４×Ｔ、ＳＦＮ＝８×……、ＳＦＮ＝Ｎ×ＴがＤＲＸ指示信号周期の開始フレームとすることができる。
【００６４】
また、例えば、Ｋ＝１の場合、当該ＤＲＸ指示信号周期は、開始フレームがｍｏｄ (ＳＦＮ，Ｎ×Ｔ１ )＝１を満たし、且つ長さがＮ×Ｔに等しい期間である。Ｎ＝４である場合、ＳＦＮ＝１、ＳＦＮ＝４×Ｔ＋１、ＳＦＮ＝８×Ｔ＋１……、ＳＦＮ＝Ｎ×Ｔ＋１がＤＲＸ指示信号周期の開始フレームとすることができる。
【００６５】
選択可能で、図４に示すように、３１０は３１１と３１２を含む。
【００６６】
３１１において、第１の端末デバイスが第１の端末デバイスに対応するオフセット値を確定し、当該オフセット値は、当該ＤＲＸ指示信号周期における当該ターゲットＤＲＸ周期の位置を示す。
【００６７】
３１２において、第１の端末デバイスが当該オフセット値に基づいて、当該ＤＲＸ指示信号周期から当該ターゲットＤＲＸ周期を確定する。
【００６８】
例えば、Ｎ＝４、即ちＤＲＸ指示信号周期が４つのＤＲＸ周期を含むと仮定する。オフセット値が０である場合、第１の端末デバイスがＤＲＸ指示信号を検出するためのターゲットＤＲＸ周期がこのＮ個のＤＲＸ周期のうちの１番目のＤＲＸ周期であることを示し、オフセット値が１である場合、このターゲットＤＲＸ周期がＮ個のＤＲＸ周期のうちの２番目のＤＲＸ周期であることを示し、オフセット値が２である場合は、このターゲットＤＲＸ周期がＮ個のＤＲＸ周期のうちの３番目のＤＲＸ周期であることを示し、オフセット値が３である場合、このターゲットＤＲＸ周期が該Ｎ個のＤＲＸ周期のうちの４番目のＤＲＸ周期であることを示す。
【００６９】
本願の実施例では、第１の端末デバイスが、その対応するオフセット値を確定するための３つの方式を提案し、以下で具体的に説明する。
【００７０】
方式１
任意選択で、３１１において、第１の端末デバイスが第１の端末デバイスに対応するオフセット値を確定することは、第１の端末デバイスが、この第１の端末デバイスのデバイス識別子( Ｕｅｓｒ Ｅｑｕｉｐｍｅｎｔ Ｉｄｅｎｔｉｔｙ、ＵＥ−ＩＤ )に応じてオフセット値を確定することを含む。
【００７１】
例えば、この第１の端末デバイスに対応するオフセット値は、ｍｏｄ(ＵＥ−ＩＤ，Ｎ)又は（ＵＥ−ＩＤ）ｍｏｄ Ｎと記述される。ここで、Ｎは、１つのＤＲＸ指示周期に含まれるＤＲＸ周期の数であり、ｍｏｄは、ｍｏｄ関数である。
【００７２】
方式２
任意選択で、３１１において、第１の端末デバイスが第１の端末デバイスに対応するオフセット値を確定することは、第１の端末デバイスが第１の端末デバイスの常駐セル又はサービングセルのセル識別子( Ｃｅｌｌ ＩＤ )に基づいて、このオフセット値を確定することを含む。
【００７３】
例えば、この第１の端末デバイスに対応するオフセット値は、ｍｏｄ(Ｃｅｌｌ  ＩＤ，Ｎ)又は(Ｃｅｌｌ ＩＤ )ｍｏｄ Ｎと記述される。ここで、Ｎは、１つのＤＲＸ指示周期に含まれるＤＲＸ周期の数であり、ｍｏｄは、ｍｏｄ関数である。
【００７４】
方式３
任意選択で、３１１において、第１の端末デバイスが当該第１の端末デバイスに対応するオフセット値を確定することは、第１の端末デバイスがネットワークデバイスにより送信された第１の構成情報を受信することを含み、当該第１の構成情報は、当該オフセット値を示す。
【００７５】
第１の端末デバイスは、上記３つの方式のいずれかに基づいて対応するオフセット値を確定した後、当該オフセット値に応じて、第１の端末デバイスが当該ＤＲＸ指示信号を検出するためのターゲットＤＲＸ周期をＤＲＸ指示周期において確定する。
【００７６】
例えば、図５に示されるように、Ｎ＝４、即ち、１つのＤＲＸ指示信号周期に４つのＤＲＸ周期が含まれると仮定すると、第１の端末デバイスが、第１の端末デバイスに対応するオフセット値が０であると確定した場合、第１の端末デバイスは、図５に示されるＤＲＸ指示信号周期のうちの１番目のＤＲＸ周期の前に、当該ＤＲＸ指示信号を検出し、即ち、当該ＤＲＸ指示信号周期のうちの１番目のＤＲＸ周期は、第１の端末デバイスのターゲットＤＲＸ周期である。当該ＤＲＸ指示信号が、第１の端末デバイスが当該ＤＲＸ指示信号が検出された時点の後のＤＲＸ指示周期におけるＭ個のＤＲＸ周期のアクティブ化期間にスリープ状態であることを示す場合、端末デバイスは、Ｍ個のＤＲＸ周期のアクティブ化期間にスリープ状態にあり、Ｍ＝４のとき、第１の端末デバイスのＤＲＸ指示周期がＤＲＸ指示信号周期と同じである。
【００７７】
同様に、第１の端末デバイスが、第１の端末デバイスに対応するオフセット値が１であると確定した場合、第１の端末デバイスは、ＤＲＸ指示信号周期の２番目のＤＲＸ周期より前に当該ＤＲＸ指示信号を検出し、ＤＲＸ指示信号がウェイクアップ指示する場合、第１の端末デバイスは、ＤＲＸ指示信号が検出された時点の後のＤＲＸ指示周期におけるＭ個のＤＲＸ周期のアクティブ化期間内にウェイクアップ状態にある。
【００７８】
図５の説明から分かるように、端末デバイスによって検出されたＤＲＸ指示信号は、Ｍ個のＤＲＸ周期において端末デバイスのウェイクアップ及びスリープを一度に示し、これらのＭ個のＤＲＸ周期は、第１の端末デバイスに対応するＤＲＸ指示周期である。使用されるターゲットＤＲＸ周期が異なる端末デバイスは、ＤＲＸ指示周期の位置も異なり得る。
【００７９】
任意選択で、３１０の前に、即ち、第１の端末デバイスがＤＲＸ指示信号周期中に、第１の端末デバイスがＤＲＸ指示信号を検出するためのターゲットＤＲＸ周期を確定する前に、当該方法は、さらに、第１の端末デバイスが、ネットワークデバイスによって無線リソース制御( Ｒａｄｉｏ Ｒｅｓｏｕｒｃｅ Ｃｏｎｔｒｏｌ、ＲＲＣ )専用シグナリング、ブロードキャストシグナリング、又はメディアアクセス制御( Ｍｅｄｉａ Ａｃｃｅｓｓ Ｃｏｎｔｒｏｌ、ＭＡＣ )制御要素( Ｃｏｎｔｒｏｌ Ｅｌｅｍｅｎｔ、ＣＥ )により送信された、第２の構成情報を受信することを含み、当該第２の構成情報は、当該ＤＲＸ指示信号周期の長さ、即ち、当該ＤＲＸ指示信号周期に含まれるＤＲＸ周期の数Ｎを示す。
【００８０】
例えば、ページング（Ｐａｇｉｎｇ）メッセージに関連するＤＲＸ指示信号は、パワーアップのアタッチ中に、ネットワークデバイスにより、ＲＲＣシグナリングを介して、第１の端末デバイスに関連する構成情報、例えば、上述の第１の構成情報及び/又は第２の構成情報を通知される。
【００８１】
また、例えば、接続状態にある第１の端末デバイスに対して、ネットワークデバイスは、ＲＲＣ専用シグナリング又はＭＡＣ ＣＥを介して、第１の端末デバイスに、第１の構成情報及び/又は第２の構成情報などの関連する構成情報を通知することができる。
【００８２】
任意選択で、３２０において、当該ＤＲＸ指示信号は、第１の端末デバイスを含む複数の端末デバイスが、ＤＲＸ指示信号が検出された時点の後のＭ個のＤＲＸ周期におけるアクティブ化期間においてウェイクアップ又はスリープ状態であることを示すために使用される。
【００８３】
ここで、当該複数の端末デバイスが当該ＤＲＸ指示信号周期におけるＮ個のＤＲＸ周期に対応し、当該Ｎ個のＤＲＸ周期における各ＤＲＸ周期は、対応する端末デバイスが当該ＤＲＸ指示信号を検出するために使用される。
【００８４】
任意選択で、当該複数の端末デバイスが複数のデバイスグループのうちの１つのデバイスグループに属し、当該第１の端末デバイスが属するデバイスグループは、当該第１の端末デバイスのＵＥ−ＩＤ、当該第１の端末デバイスのアクセスレベル、又は当該デバイスグループを示す構成パラメータに基づいて確定されたものである。
【００８５】
具体的には、ネットワークデバイスは、複数のデバイスグループのうちの１つに属する複数の端末デバイスのウェイクアップ及びスリープを同時に指示することができる。このデバイスグループ内の複数の端末デバイスは、更に、ＤＲＸ指示信号周期内のＮ個のＤＲＸ周期に対応するＮ個のサブグループに分割され、各サブグループ内の端末デバイスは、対応するＤＲＸ周期内でＤＲＸ指示信号を検出し、ＤＲＸが検出された時点の後のＮ個のＤＲＸ周期内で、ＤＲＸ指示信号の指示に従ってスリープ又はウェイクアップを確定し得る。
【００８６】
即ち、ネットワークデバイスは、ＤＲＸ指示信号周期のＮ個のＤＲＸ周期においてＤＲＸ指示信号を送信するが、Ｎ個のＤＲＸ周期の各々において送信されるＤＲＸ指示信号は、各ＤＲＸ周期に対応するサブグループ内の端末デバイスのものである。ネットワークデバイスがあるＤＲＸ周期で送信したＤＲＸ指示信号が、ウェイクアップを指示する場合、当該ＤＲＸ周期上でＤＲＸ指示信号を検出した端末デバイスは、ＤＲＸ指示信号が検出された時点の後のＭ個のＤＲＸ周期を含むＤＲＸ指示周期のアクティブ化期間においてウェイクアップし、ネットワークデバイスがあるＤＲＸ周期で送信したＤＲＸ指示信号がスリープを指示する場合、そのＤＲＸ周期でそのＤＲＸ指示信号を検出した端末デバイスは、そのＤＲＸ指示信号を検出した時点の後のＤＲＸ指示周期のアクティブ化期間でスリープするようになっている。
【００８７】
ＤＲＸ指示信号周期を設定し、異なる端末デバイスがＤＲＸ指示信号を検出する時間をＤＲＸ指示信号周期の異なるＤＲＸ周期に設定するのは、ネットワークデバイスが端末デバイスグループのウェイクアップ又はスリープを同時に指示する場合、このグループの複数の端末デバイスのうち少数の端末デバイスのみ、又は１つの端末デバイスのみがウェイクアップを必要とする場合、ネットワークデバイスは複数の端末デバイスに同時にＤＲＸ指示信号を送信し、データ伝送を行わない他の端末デバイスもウェイクアップされるため、他の端末デバイスの消費電力に影響を与えるからである。
【００８８】
これに対して、本願の実施例において、ネットワークデバイスがターゲットＤＲＸ周期において送信するＤＲＸ指示信号は、同じデバイスグループに属する端末デバイスのウェイクアップ又はスリープを示すが、デバイスグループ内の異なる端末デバイスがＤＲＸ指示信号周期内の異なるＤＲＸ周期においてＤＲＸ指示信号の検出を行うことができ、デバイスグループ内の異なる端末デバイスがＤＲＸ指示信号を検出する時間位置が異なるため、ＤＲＸ指示信号を検出しない端末デバイスは不要なウェイクアップを回避し、消費電力を低減する。
【００８９】
同一のデバイスグループに割り当ても、当該デバイスグループ内の端末デバイスは、異なる時間で（異なるオフセット値に対応する異なるＤＲＸ周期）ＤＲＸ指示信号を検出することにより、同一デバイスグループ内の端末デバイス同士がＤＲＸ指示信号を検出する際の影響を軽減することができる。
【００９０】
例えば、第１の端末デバイスが位置するデバイスグループには８個の端末デバイスが含まれ、１つのＤＲＸ指示信号周期には４個のＤＲＸ周期が含まれる。そして、これら４つのＤＲＸ周期の各々は、２つの端末デバイスに対応し、即ち、各ＤＲＸ周期は、対応する２つの端末デバイスのためだけにＤＲＸ指示信号の検出を行う。この８つの端末デバイスの各々は、どのＤＲＸ周期において当該ＤＲＸ指示信号を検出するかを、例えば、上述の３つの方法によりそれぞれ対応するオフセット値を確定し、オフセット値に基づいて、どのＤＲＸ周期において自身がＤＲＸ指示信号を検出するかを確定することができる。例えば、表１に示すように、ＵＥ−ＩＤに応じて各端末デバイスが対応するＤＲＸ周期が確定され、端末デバイス１及び端末デバイス４は、１番目のＤＲＸ周期でＤＲＸ指示信号を検出し、端末デバイス２及び端末デバイス５は、２番目のＤＲＸ周期でＤＲＸ指示信号を検出し、端末デバイス３及び端末デバイス６は、３番目のＤＲＸ周期でＤＲＸ指示信号を検出し、端末デバイス４及び端末デバイス８は、４番目のＤＲＸ周期でＤＲＸ指示信号を検出する。
【表１】
2020537834.tif 000003
【００９１】
第１の端末デバイスがここでは端末デバイス２であると仮定すると、端末デバイス２は、そのＤＲＸ指示周期のアクティブ化期間中においてウェイク状態にあり得、そのＤＲＸ指示周期は、例えば、２番目のＤＲＸ周期から始まるＭ個のＤＲＸ周期、又は次のＤＲＸ周期、即ち３番目のＤＲＸ周期から始まるＭ個のＤＲＸ周期を含み得る。このとき、２番目のＤＲＸ周期において、端末デバイス５及び端末デバイス２のみがＤＲＸ指示信号を検出するため、端末デバイス５及び端末デバイス２のみがウェイクアップされ、ウェイクアップを必要としない他の端末デバイスはウェイクアップされない。８つの端末デバイスが同時にＤＲＸ指示信号を検出して同時にウェイクアップする場合と比較して、異なる端末デバイスが異なるＤＲＸ周期でＤＲＸ指示信号を検出することにより、２番目のＤＲＸ周期でＤＲＸ指示信号を検出しない端末デバイスの消費電力を大幅に低減することができる。
【００９２】
そこで、本願の実施例において、端末デバイスは、所定の時点で自分のＤＲＸ指示信号を検出し、検出されたＤＲＸ指示信号から、その後のＤＲＸ指示期間のアクティブ化期間に自分がスケジュールされているか否かを知ることで、スケジュールされていない場合にはスリープ状態を維持し、消費電力を更に低減する。さらに、該ＤＲＸ指示信号が複数の端末デバイスのウェイクアップ及びスリープを指示する場合、異なる端末デバイスが該ＤＲＸ指示信号を検出する時間位置が異なるため、異なる端末デバイスがＤＲＸ指示信号を検出する際に互いの干渉を低減し、消費電力を更に低減することができる。
【００９３】
図６は本願の実施例における非連続受信の方法のフローチャートである。図６に示す方法は、ネットワークデバイスにより実行され、当該ネットワークデバイスは、図１に示すネットワークデバイス１０であっても良い。図６に示すように、当該非連続受信の方法は、６１０及び６２０を含む。
【００９４】
６１０において、ネットワークデバイスが第１の端末デバイスに非連続受信ＤＲＸ指示信号を送信するためのターゲットＤＲＸ周期を確定する。
【００９５】
ここで、前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数である。
【００９６】
６２０において、前記第１の端末デバイスが前記ＤＲＸ指示信号に基づいて、前記ＤＲＸ指示信号が検出された時点の後の前記Ｍ個のＤＲＸ周期におけるアクティブ化期間にウェイクアップ又はスリープするように、前記ネットワークデバイスが前記ターゲットＤＲＸ周期において又は前記ターゲットＤＲＸ周期の前に、前記第１の端末デバイスに前記ＤＲＸ指示信号を送信する。
【００９７】
任意選択で、前記ネットワークデバイスが第１の端末デバイスにＤＲＸ指示信号を送信するためのターゲットＤＲＸ周期を確定することは、前記ネットワークデバイスが、端末デバイスのＤＲＸ指示信号の検出のためのＤＲＸ指示信号周期において、前記ターゲットＤＲＸ周期を確定することを含み、前記ＤＲＸ指示信号周期がＮ個のＤＲＸ周期を含み、Ｎが正の整数であり、Ｎ＝Ｍ又はＮ≠Ｍである。
【００９８】
具体的には、１つのグループの端末デバイスにＤＲＸ指示信号を送信するためのＤＲＸ指示信号周期が設定され、１つのＤＲＸ指示信号周期は、Ｎ個のＤＲＸ周期を含む。ネットワークデバイスは、Ｎ個のＤＲＸ周期の各々においてそれぞれのＤＲＸ指示信号を送信し、ＤＲＸ指示信号を受信した端末デバイスは、このＤＲＸ指示信号に従って、ＤＲＸ指示信号が検出された時点の後のＭ個のＤＲＸ周期(即ち、第１の端末デバイスのＤＲＸ指示周期)のアクティブ化期間においてウェイクアップ又はスリープする。このグループの端末デバイスの異なる端末デバイスは、ＤＲＸ指示信号周期の中の異なるＤＲＸ周期においてＤＲＸ指示信号を検出し得る。例えば、ネットワークデバイスが、グループの端末デバイスの第１の端末デバイスにウェイクアップを通知する必要がある場合、ネットワークデバイスは、ＤＲＸ指示信号周期において、第１の端末デバイスがＤＲＸ指示信号を検出するためのターゲットＤＲＸ周期を確定し、ターゲットＤＲＸ周期において、ウェイクアップを指示するＤＲＸ指示信号を送信し、第１の端末デバイスは、このターゲットＤＲＸ周期において、ＤＲＸ指示信号を検出し、ＤＲＸ指示信号の指示に従い、ＤＲＸ指示信号を検出した時点の後のＭ個のＤＲＸ周期(即ち、第１の端末デバイスのＤＲＸ指示周期)のアクティブ化期間内にウェイクアップする。
【００９９】
そこで、本願の実施例において、ネットワークデバイスは、特定の時点に、ウェイクアップ又はスリープが必要な端末デバイスに通知するように、ＤＲＸ指示信号を送信することにより、端末デバイスが、特定の時間位置において当該ＤＲＸ指示信号を検出し、検出されたＤＲＸ指示信号から、その後のＤＲＸ指示周期におけるアクティブ化期間に、自分がスケジュールされているか否かを知ることができ、スケジュールされていない場合には、消費電力を更に低減するためにスリープを維持する。また、該ＤＲＸ指示信号が複数の端末デバイスのウェイクアップ及びスリープを指示する場合、異なる端末デバイスが該ＤＲＸ指示信号を検出する時間位置が異なるため、異なる端末デバイスがＤＲＸ指示信号を検出する際に互いの干渉を低減し、消費電力を更に低減することができる。
【０１００】
任意選択で、前記ネットワークデバイスが、非連続受信ＤＲＸ指示信号を送信するためのＤＲＸ指示信号周期からＤＲＸ指示信号を送信するためのターゲットＤＲＸ周期確定することは、前記ネットワークデバイスが前記第１の端末デバイスに対応するオフセット値を確定することと、前記ネットワークデバイスが前記オフセット値に基づいて、前記ＤＲＸ指示信号周期から前記ターゲットＤＲＸ周期を確定することとを含み、前記オフセット値は、前記ＤＲＸ指示信号周期における前記ターゲットＤＲＸ周期の位置を示す。
【０１０１】
任意選択で、前記ネットワークデバイスが前記第１の端末デバイスに対応するオフセット値を確定することは、前記ネットワークデバイスが前記第１の端末デバイスのデバイス識別子ＵＥ−ＩＤに基づいて、前記オフセット値を確定することを含む。
【０１０２】
任意選択で、前記オフセット値はｍｏｄ（ＵＥ−ＩＤ，Ｎ）に等しい。
【０１０３】
任意選択で、前記ネットワークデバイスが前記第１の端末デバイスに対応するオフセット値を確定することは、前記ネットワークデバイスが前記第１の端末デバイスの常駐セル又はサービングセルのセル識別子Ｃｅｌｌ  ＩＤに基づいて、前記オフセット値を確定することを含む。
【０１０４】
任意選択で、前記オフセット値はｍｏｄ（Ｃｅｌｌ  ＩＤ，Ｎ）に等しい。
【０１０５】
任意選択で、前記方法は、さらに、前記ネットワークデバイスが第１の端末デバイスに第１の構成情報を送信することを含み、前記第１の構成情報は、前記オフセット値を示す。
【０１０６】
任意選択で、前記ネットワークデバイスが前記ターゲットＤＲＸ周期において、前記第１の端末デバイスに前記ＤＲＸ指示信号を送信する前に、前記方法は、さらに、前記ネットワークデバイスが無線リソース制御ＲＲＣ専用シグナリング、ブロードキャストシグナリング又はメディアアクセス制御要素ＭＡＣ  ＣＥを介して前記第１の端末デバイスに第２の構成情報を送信することを含み、前記第２の構成情報は、前記ＤＲＸ指示信号周期に含まれるＤＲＸ周期の個数Ｎを示す。
【０１０７】
任意選択で、前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
ここで、前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる。
【０１０８】
任意選択で、前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである。
【０１０９】
任意選択で、前記ＤＲＸ指示信号周期は、Ｔ２＝ｍｏｄ( ＳＦＮ、Ｍ×Ｔ１ )を満たし、ここで、ＳＦＮは、前記ＤＲＸ指示信号周期が存在するシステムフレームのシステムフレーム番号であり、Ｔ２は、前記ＤＲＸ指示信号周期の長さであり、Ｔ１は、ＤＲＸ周期の長さである。
【０１１０】
ネットワークデバイスがターゲットＤＲＸ周期の確定及びＤＲＸ指示信号の送信の具体的な詳細は、前述の図３〜図５において端末デバイスに関する説明を参照してもよく、簡潔のためにここでは説明を省略する。
【０１１１】
また、本願の様々な実施例において、上述のプロセスの順序の大きさは、実行順序の前後を意味するものではなく、各プロセスの実行順序は、その機能及び内部ロジックにおいて確定されるべきであり、本願の実施例のプロセスを何ら限定するものではないことを理解されたい。
【０１１２】
図７は本願の実施例における端末デバイス７００のブロック図である。当該端末デバイスは第１の端末デバイスであり、図７に示すように、当該第１の端末デバイス７００は、確定ユニット７１０、送受信ユニット７２０及び処理ユニット７３０を含む。
【０１１３】
確定ユニット７１０は、前記第１の端末デバイスが非連続受信ＤＲＸ指示信号を検出するためのターゲットＤＲＸ周期を確定するように構成され、
送受信ユニット７２０は、前記確定ユニット７１０により確定された前記ターゲットＤＲＸ周期において又は前記ターゲットＤＲＸ周期の前に、ネットワークデバイスにより送信されたＤＲＸ指示信号を検出するように構成され、前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数である。
【０１１４】
処理ユニット７３０は、前記送受信ユニット７２０により検出された前記ＤＲＸ指示信号に基づいて、前記ＤＲＸ指示信号が検出された時点の後の前記Ｍ個のＤＲＸ周期におけるアクティブ化期間においてウェイクアップ又はスリープするように構成される。
【０１１５】
そこで、端末デバイスは、所定の時点で自分のＤＲＸ指示信号を検出し、検出されたＤＲＸ指示信号から、その後のＤＲＸ指示期間のアクティブ化期間に自分がスケジュールされているか否かを知ることで、スケジュールされていない場合にはスリープ状態を維持し、消費電力を更に低減する。さらに、該ＤＲＸ指示信号が複数の端末デバイスのウェイクアップ及びスリープを指示する場合、異なる端末デバイスが該ＤＲＸ指示信号を検出する時間位置が異なるため、異なる端末デバイスがＤＲＸ指示信号を検出する際に互いの干渉を低減し、消費電力を更に低減することができる。
【０１１６】
任意選択で、前記確定ユニット７１０は、具体的に、ＤＲＸ指示信号の検出のためのＤＲＸ指示信号周期において、前記ターゲットＤＲＸ周期を検出するように構成され、前記ＤＲＸ指示信号周期がＮ個のＤＲＸ周期を含み、Ｎが正の整数であり、Ｎ＝Ｍ又はＮ≠Ｍである。
【０１１７】
任意選択で、前記確定ユニット７１０は、具体的に、前記第１の端末デバイスに対応するオフセット値を確定し、前記オフセット値に基づいて、前記ＤＲＸ指示信号周期から前記ターゲットＤＲＸ周期を確定するように構成され、前記オフセット値は、前記ＤＲＸ指示信号周期における前記ターゲットＤＲＸ周期の位置を示す。
【０１１８】
任意選択で、前記確定ユニット７１０は、具体的に、前記第１の端末デバイスのデバイス識別子ＵＥ−ＩＤに基づいて、前記オフセット値を確定するように構成される。
【０１１９】
任意選択で、前記オフセット値はｍｏｄ（ＵＥ−ＩＤ，Ｎ）に等しい。
【０１２０】
任意選択で、前記確定ユニット７１０は、具体的に、前記第１の端末デバイスの常駐セル又はサービングセルのセル識別子Ｃｅｌｌ  ＩＤに基づいて、前記オフセット値を確定するように構成される。
【０１２１】
任意選択で、前記オフセット値はｍｏｄ（Ｃｅｌｌ  ＩＤ，Ｎ）に等しい。
【０１２２】
任意選択で、前記確定ユニット７１０は、具体的に、前記送受信ユニット７２０を介して前記ネットワークデバイスにより送信された第１の構成情報を受信するように構成され、前記第１の構成情報は、前記オフセット値を示す。
【０１２３】
任意選択で、前記送受信ユニット７２０は、さらに、前記ネットワークデバイスが無線リソース制御ＲＲＣ専用シグナリング、ブロードキャストシグナリング又はメディアアクセス制御要素ＭＡＣ  ＣＥを介して送信された第２の構成情報を受信するように構成され、前記第２の構成情報は、前記ＤＲＸ指示信号周期に含まれるＤＲＸ周期の個数Ｎを示す。
【０１２４】
任意選択で、前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
ここで、前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる。
【０１２５】
任意選択で、前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである。
【０１２６】
任意選択で、前記ＤＲＸ指示信号周期は、Ｔ２＝ｍｏｄ( ＳＦＮ、Ｍ×Ｔ１ )を満たし、ここで、ＳＦＮは、前記ＤＲＸ指示信号周期が存在するシステムフレームのシステムフレーム番号であり、Ｔ２は、前記ＤＲＸ指示信号周期の長さであり、Ｔ１は、ＤＲＸ周期の長さである。
【０１２７】
図８は本願の実施例におけるネットワークデバイス８００のブロック図である。図８に示すように、当該ネットワークデバイス８００は、確定ユニット８１０と送受信ユニット８２０を含む。
【０１２８】
確定ユニット８１０は、第１の端末デバイスに非連続受信ＤＲＸ指示信号を送信するためのターゲットＤＲＸ周期を確定するように構成され、前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数である。
【０１２９】
送受信ユニット８２０は、前記確定ユニット８１０により確定された前記ターゲットＤＲＸ周期において又は前記ターゲットＤＲＸ周期の前に、前記第１の端末デバイスに前記ＤＲＸ指示信号を送信するように構成され、これにより、前記第１の端末デバイスが前記ＤＲＸ指示信号に基づいて、前記ＤＲＸ指示信号が検出された時点の後の前記Ｍ個のＤＲＸ周期におけるアクティブ化期間にウェイクアップ又はスリープする。
【０１３０】
そこで、ネットワークデバイスは、特定の時点に、ウェイクアップ又はスリープが必要な端末デバイスに通知するように、ＤＲＸ指示信号を送信することにより、端末デバイスが、特定の時間位置において当該ＤＲＸ指示信号を検出し、検出されたＤＲＸ指示信号から、その後のＤＲＸ指示周期におけるアクティブ化期間に、自分がスケジュールされているか否かを知ることができ、スケジュールされていない場合には、消費電力を更に低減するためにスリープを維持する。また、該ＤＲＸ指示信号が複数の端末デバイスのウェイクアップ及びスリープを指示する場合、異なる端末デバイスが該ＤＲＸ指示信号を検出する時間位置が異なるため、異なる端末デバイスがＤＲＸ指示信号を検出する際に互いの干渉を低減し、消費電力を更に低減することができる。
【０１３１】
任意選択で、前記確定ユニット８１０は、具体的に、端末デバイスのＤＲＸ指示信号のためのＤＲＸ指示信号周期から前記ターゲットＤＲＸ周期を確定するように構成され、前記ＤＲＸ指示信号周期がＮ個のＤＲＸ周期を含み、Ｎが正の整数であり、Ｎ＝Ｍ又はＮ≠Ｍである。
【０１３２】
任意選択で、前記確定ユニット８１０は、具体的に、前記第１の端末デバイスに対応するオフセット値を確定し、前記オフセット値に基づいて、前記ＤＲＸ指示信号周期から前記ターゲットＤＲＸ周期を確定するように構成され、前記オフセット値は、前記ＤＲＸ指示信号周期における前記ターゲットＤＲＸ周期の位置を示す。
【０１３３】
任意選択で、前記確定ユニット８１０は、具体的に、前記第１の端末デバイスのデバイス識別子ＵＥ−ＩＤに基づいて、前記オフセット値を確定するように構成される。
【０１３４】
任意選択で、前記オフセット値はｍｏｄ（ＵＥ−ＩＤ，Ｎ）に等しい。
【０１３５】
任意選択で、前記確定ユニット８１０は、具体的に、前記第１の端末デバイスの常駐セル又はサービングセルのセル識別子Ｃｅｌｌ  ＩＤに基づいて、前記オフセット値を確定するように構成される。
【０１３６】
任意選択で、前記オフセット値はｍｏｄ（Ｃｅｌｌ  ＩＤ，Ｎ）に等しい。
【０１３７】
任意選択で、前記送受信ユニット８２０は、さらに、第１の端末デバイスに第１の構成情報を送信するように構成され、前記第１の構成情報は、前記オフセット値を示す。
【０１３８】
任意選択で、前記送受信ユニット８２０は、さらに、無線リソース制御ＲＲＣ専用シグナリング、ブロードキャストシグナリング又はメディアアクセス制御要素ＭＡＣ  ＣＥを介して前記第１の端末デバイスに第２の構成情報を送信するように構成され、前記第２の構成情報は、前記ＤＲＸ指示信号周期に含まれるＤＲＸ周期の個数Ｎを示す。
【０１３９】
任意選択で、前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
ここで、前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる。
【０１４０】
任意選択で、前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである。
【０１４１】
任意選択で、前記ＤＲＸ指示信号周期は、Ｔ２＝ｍｏｄ( ＳＦＮ、Ｍ×Ｔ１ )を満たし、ここで、ＳＦＮは、前記ＤＲＸ指示信号周期が存在するシステムフレームのシステムフレーム番号であり、Ｔ２は、前記ＤＲＸ指示信号周期の長さであり、Ｔ１は、ＤＲＸ周期の長さである。
【０１４２】
図９は、本願の実施例に係る端末デバイス９００の概略構成図である。この端末デバイスは第１の端末デバイスであり、図９に示すように、プロセッサ９１０、送受信機９２０、及びメモリ９３０を備え、ここで、プロセッサ９１０、送受信機９２０、及びメモリ９３０の間で内部接続経路を介して通信する。このメモリ９３０は、命令を記憶するために使用され、プロセッサ９１０は、送受信機９２０を制御して信号を受信または送信するためにメモリ９３０によって記憶された命令を実行するために使用される。ここで、
プロセッサ９１０は、前記第１の端末デバイスが非連続受信ＤＲＸ指示信号を検出するためのターゲットＤＲＸ周期を確定するように構成され、
送受信機９２０は、前記プロセッサ９１０により確定された前記ターゲットＤＲＸ周期において又は前記ターゲットＤＲＸ周期の前に、ネットワークデバイスにより送信されたＤＲＸ指示信号を検出するように構成され、前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数である。
【０１４３】
前記プロセッサ９１０は、さらに、前記送受信９２０により検出された前記ＤＲＸ指示信号に基づいて、検出された前記ＤＲＸ指示信号の時点の後の前記Ｍ個のＤＲＸ周期におけるアクティブ化期間においてウェイクアップ又はスリープするように構成される。
【０１４４】
そこで、端末デバイスは、所定の時点で自分のＤＲＸ指示信号を検出し、検出されたＤＲＸ指示信号から、その後のＤＲＸ指示期間のアクティブ化期間に自分がスケジュールされているか否かを知ることで、スケジュールされていない場合にはスリープ状態を維持し、消費電力を更に低減する。さらに、該ＤＲＸ指示信号が複数の端末デバイスのウェイクアップ及びスリープを指示する場合、異なる端末デバイスが該ＤＲＸ指示信号を検出する時間位置が異なるため、異なる端末デバイスがＤＲＸ指示信号を検出する際に互いの干渉を低減し、消費電力を更に低減することができる。
【０１４５】
任意選択で、前記プロセッサ９１０は、具体的に、ＤＲＸ指示信号の検出のためのＤＲＸ指示信号周期において、前記ターゲットＤＲＸ周期を確定するように構成され、前記ＤＲＸ指示信号周期がＮ個のＤＲＸ周期を含み、Ｎが正の整数であり、Ｎ＝Ｍ又はＮ≠Ｍである。
【０１４６】
任意選択で、前記プロセッサ９１０は、具体的に、前記第１の端末デバイスに対応するオフセット値を確定し、前記オフセット値は、前記ＤＲＸ指示信号周期における前記ターゲットＤＲＸ周期の位置を示す、前記オフセット値に基づいて、前記ＤＲＸ指示信号周期から前記ターゲットＤＲＸ周期を確定するように構成される。
【０１４７】
任意選択で、前記プロセッサ９１０は、具体的に、前記第１の端末デバイスのデバイス識別子ＵＥ−ＩＤに基づいて、前記オフセット値を確定するように構成される。
【０１４８】
任意選択で、前記オフセット値はｍｏｄ（ＵＥ−ＩＤ，Ｎ）に等しい。
【０１４９】
任意選択で、前記プロセッサ９１０は、具体的に、前記第１の端末デバイスの常駐セル又はサービングセルのセル識別子Ｃｅｌｌ  ＩＤに基づいて、前記オフセット値を確定するように構成される。
【０１５０】
任意選択で、前記オフセット値はｍｏｄ（Ｃｅｌｌ  ＩＤ，Ｎ）に等しい。
【０１５１】
任意選択で、前記プロセッサ９１０は、具体的に、前記送受信機９２０を介して前記ネットワークデバイスにより送信された第１の構成情報を受信するように構成され、前記第１の構成情報は、前記オフセット値を示す。
【０１５２】
任意選択で、前記送受信機９２０は、さらに、前記ネットワークデバイスが無線リソース制御ＲＲＣ専用シグナリング、ブロードキャストシグナリング又はメディアアクセス制御要素ＭＡＣ  ＣＥを介して送信された第２の構成情報を受信するように構成され、前記第２の構成情報は、前記ＤＲＸ指示信号周期に含まれるＤＲＸ周期の個数Ｎを示す。
【０１５３】
任意選択で、前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
ここで、前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる。
【０１５４】
任意選択で、前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである。
【０１５５】
任意選択で、前記ＤＲＸ指示信号周期は、Ｔ２＝ｍｏｄ( ＳＦＮ、Ｍ×Ｔ１ )を満たし、ここで、ＳＦＮは、前記ＤＲＸ指示信号周期が存在するシステムフレームのシステムフレーム番号であり、Ｔ２は、前記ＤＲＸ指示信号周期の長さであり、Ｔ１は、ＤＲＸ周期の長さである。
【０１５６】
本願の実施例において、プロセッサ９１０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既製プログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【０１５７】
メモリ９３０は、読み出し専用メモリおよびランダムアクセスメモリを含み得、プロセッサ９１０に命令およびデータを提供し得る。メモリ９３０の一部は、不揮発性ランダムアクセスメモリも含み得る。
【０１５８】
実施において、方法のステップは、プロセッサ９１０内のハードウェアの集積論理回路またはソフトウェア形態の命令によって実行されてもよい。本願の実施例に関連して開示される位置特定方法のステップは、ハードウェアプロセッサ実行として直接具現化されてもよく、またはプロセッサ９１０内のハードウェアおよびソフトウェアモジュールの組み合わせで実行が完了するように具現化されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ９３０に位置し、プロセッサ９１０は、メモリ９３０内の情報を読み出し、そのハードウェアとともに、上述した方法のステップを実行する。重複を避けるため、ここでは詳細な説明は省略する。
【０１５９】
本願の一実施例に係る端末デバイス９００は、前述した方法３００の実行のための端末デバイス及び本願の一実施例に係る端末デバイス７００に対応することができ、該端末デバイス９００の各ユニット又はモジュールは、前述した方法３００の端末デバイスによって実行される各動作又は処理過程を実行するためにそれぞれ使用されるが、ここで、重複説明を避けるために、その詳細な説明は省略する。
【０１６０】
図１０は、本願の実施例に係るネットワークデバイス１０００の概略構成図である。図１０に示すように、ネットワークデバイスは、プロセッサ１０１０、送受信機１０２０、及びメモリ１０３０を含み、プロセッサ１０１０、送受信機１０２０、及びメモリ１０３０の間は、内部接続経路を介して互いに通信する。メモリ１０３０は、命令を記憶するために使用され、プロセッサ１０１０は、送受信機１０２０を制御して信号を受信または送信するためにメモリ１０３０によって記憶された命令を実行するために使用される。
【０１６１】
当該プロセッサ１０１０は、非連続受信ＤＲＸ指示周期において、第１の端末デバイスにＤＲＸ指示信号を送信するためのターゲットＤＲＸ周期を確定し、ここで、前記ＤＲＸ指示周期は、前記第１の端末デバイスのＤＲＸ指示信号の検出に使用され、前記ＤＲＸ指示周期は、Ｎ個のＤＲＸ周期を含み、前記ＤＲＸ指示信号は、指示前記第１の端末デバイスが前記ＤＲＸ指示信号が検出された時点の後のＮ個のＤＲＸ周期におけるアクティブ化期間においてウェイクアップ又はスリープするように指示し、Ｎが正の整数であり、
当該送受信機１０２０は、前記プロセッサ１０１０により確定された前記ターゲットＤＲＸ周期において又は前記ターゲットＤＲＸ周期の前に、前記第１の端末デバイスに前記ＤＲＸ指示信号を送信するように構成され、それにより、前記第１の端末デバイスが前記ＤＲＸ指示信号に基づいて、前記ＤＲＸ指示信号が検出された後のＮ個のＤＲＸ周期におけるアクティブ化期間においてウェイクアップ又はスリープする。
【０１６２】
そこで、ネットワークデバイスは、特定の時点に、ウェイクアップ又はスリープが必要な端末デバイスに通知するように、ＤＲＸ指示信号を送信することにより、端末デバイスが、特定の時間位置において当該ＤＲＸ指示信号を検出し、検出されたＤＲＸ指示信号から、その後のＤＲＸ指示周期におけるアクティブ化期間に、自分がスケジュールされているか否かを知ることができ、スケジュールされていない場合には、消費電力を更に低減するためにスリープを維持する。また、該ＤＲＸ指示信号が複数の端末デバイスのウェイクアップ及びスリープを指示する場合、異なる端末デバイスが該ＤＲＸ指示信号を検出する時間位置が異なるため、異なる端末デバイスがＤＲＸ指示信号を検出する際に互いの干渉を低減し、消費電力を更に低減することができる。
【０１６３】
任意選択で、前記プロセッサ１０１０は、具体的に、端末デバイスのＤＲＸ指示信号のためのＤＲＸ指示信号周期において、前記ターゲットＤＲＸ周期を確定するように構成され、前記ＤＲＸ指示信号周期がＮ個のＤＲＸ周期を含み、Ｎが正の整数であり、Ｎ＝Ｍ又はＮ≠Ｍである。
【０１６４】
任意選択で、前記プロセッサ１０１０は、具体的に、前記第１の端末デバイスに対応するオフセット値を確定し、前記オフセット値に基づいて、前記ＤＲＸ指示信号周期から前記ターゲットＤＲＸ周期を確定するように構成され、前記オフセット値は、前記ＤＲＸ指示信号周期における前記ターゲットＤＲＸ周期の位置を示す。
【０１６５】
任意選択で、前記プロセッサ１０１０は、具体的に、前記第１の端末デバイスのデバイス識別子ＵＥ−ＩＤに基づいて、前記オフセット値を確定するように構成される。
【０１６６】
任意選択で、前記オフセット値はｍｏｄ（ＵＥ−ＩＤ，Ｎ）に等しい。
【０１６７】
任意選択で、前記プロセッサ１０１０は、具体的に、前記第１の端末デバイスの常駐セル又はサービングセルのセル識別子Ｃｅｌｌ  ＩＤに基づいて、前記オフセット値を確定するように構成される。
【０１６８】
任意選択で、前記オフセット値はｍｏｄ（Ｃｅｌｌ  ＩＤ，Ｎ）に等しい。
【０１６９】
任意選択で、前記送受信機１０２０は、さらに、第１の端末デバイスに第１の構成情報を送信するように構成され、前記第１の構成情報は、前記オフセット値を示す。
【０１７０】
任意選択で、前記送受信機１０２０は、さらに、無線リソース制御ＲＲＣ専用シグナリング、ブロードキャストシグナリング又はメディアアクセス制御要素ＭＡＣ  ＣＥを介して前記第１の端末デバイスに第２の構成情報を送信するように構成され、前記第２の構成情報は、前記ＤＲＸ指示信号周期に含まれるＤＲＸ周期の個数Ｎを示す。
【０１７１】
任意選択で、前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
ここで、前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる。
【０１７２】
任意選択で、前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである。
【０１７３】
任意選択で、前記ＤＲＸ指示信号周期は、Ｔ２＝ｍｏｄ( ＳＦＮ、Ｍ×Ｔ１ )を満たし、ここで、ＳＦＮは、前記ＤＲＸ指示信号周期が存在するシステムフレームのシステムフレーム番号であり、Ｔ２は、前記ＤＲＸ指示信号周期の長さであり、Ｔ１は、ＤＲＸ周期の長さである。
【０１７４】
プロセッサ１０１０は、本願の実施例において、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１７５】
当該メモリ１０３０は、読み出し専用メモリおよびランダムアクセスメモリを含み得、プロセッサ１０１０に命令およびデータを提供し得る。メモリ１０３０の一部は、不揮発性ランダムアクセスメモリも含み得る。実施において、方法のステップは、プロセッサ１０１０におけるハードウェアの集積論理回路またはソフトウェア形態の命令によって実行されてもよい。本願の実施例に関連して開示される測位方法のステップは、ハードウェアプロセッサ実行として直接具現化されてもよく、またはプロセッサ１０１０におけるハードウェアおよびソフトウェアモジュールの組み合わせで実行が完了するように具現化されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ１０３０に位置し、プロセッサ１０１０は、メモリ１０３０内の情報を読み出し、そのハードウェアとともに、上述した方法のステップを実行する。重複を避けるため、ここでは詳細な説明は省略する。
【０１７６】
本願の実施例に係るネットワークデバイス１０００は、上述した方法６００の方法６００を実行するためのネットワークデバイス、及び本願の実施例に係るネットワークデバイス８００に対応することができ、該ネットワークデバイス１０００の各ユニット又はモジュールは、上述した方法６００のネットワークデバイスによって実行される各動作又は処理手順を実行するためにそれぞれ使用されるが、ここでは、重複説明を避けるために、その詳細な説明は省略する。
【０１７７】
図１１は、本願の実施例におけるシステムチップの概略構成図である。図１１のシステムチップ１１００は、入力インターフェース１１０１、出力インターフェース１１０２、少なくとも１つのプロセッサ１１０３、及びメモリ１１０４を含み、前記入力インターフェース１１０１、出力インターフェース１１０２、前記プロセッサ１１０３、及びメモリ１１０４の間は、内部接続経路によって相互接続される。プロセッサ１１０３は、メモリ１１０４内でコードを実行するために使用される。
【０１７８】
任意選択で、コードが実行されると、プロセッサ１１０３は、方法の実施例において第１の端末デバイスによって実行される方法３００を実装してもよい。簡潔にするために、ここでは説明は省略する。
【０１７９】
任意選択で、コードが実行されると、プロセッサ１１０３は、方法の実施例においてネットワークデバイスにより実行される方法６００を実装してもよい。簡潔にするために、ここでは説明は省略する。
【０１８０】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１８１】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１８２】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１８３】
この分離手段として説明するユニットは、物理的に分離していても、分離していなくてもよく、ユニットとして表示する手段は、物理的なユニットであっても、物理的なユニットでなくても、１箇所にあっても、複数のネットワークユニットに分散していてもよい。また、本実施例の目的は、必要に応じて各部の一部又は全部を選択して実施することができる。
【０１８４】
また、本願の各実施例における各機能部は、一つの監視ユニットに集積されてもよく、各ユニットが物理的に別個に存在してもよく、二つ以上のユニットが一つのユニットに集積されてもよい。
【０１８５】
この機能をソフトウェア機能ユニットの形で実現し、スタンドアロン製品として販売又は使用する場合には、コンピュータ読み取り可能な記憶媒体に記憶させることができる。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１８６】
以上、本願の具体的な実施例について説明したが、本願の保護範囲はこれに限定されるものではなく、本願の属する技術分野における通常の知識を有する者であれば、本願の権利範囲内で、本願の権利範囲に属すると思われる変更や置換を容易に想到することができる。したがって、本願の実施例の保護範囲は、特許請求の範囲の保護範囲に準ずるべきである。
【図１】
2020537834.tif 000004
【図２】
2020537834.tif 000005
【図３】
2020537834.tif 000006
【図４】
2020537834.tif 000007
【図５】
2020537834.tif 000008
【図６】
2020537834.tif 000009
【図７】
2020537834.tif 000010
【図８】
2020537834.tif 000011
【図９】
2020537834.tif 000012
【図１０】
2020537834.tif 000013
【図１１】
2020537834.tif 000014
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
第１の端末デバイスが、前記第１の端末デバイスが非連続受信ＤＲＸ指示信号を検出するためのターゲットＤＲＸ周期を確定することと、
前記第１の端末デバイスが、前記ターゲットＤＲＸ周期において又は前記ターゲットＤＲＸ周期の前に、ネットワークデバイスにより送信されたＤＲＸ指示信号を検出することと、
前記第１の端末デバイスが前記ＤＲＸ指示信号に基づいて、前記ＤＲＸ指示信号が検出された時点の後の前記Ｍ個のＤＲＸ周期におけるアクティブ化期間にウェイクアップ又はスリープすることとを含み、
前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数である
ことを特徴とする非連続受信の方法。
【請求項２】
前記第１の端末デバイスが、前記第１の端末デバイスがＤＲＸ指示信号を検出するためのターゲットＤＲＸ周期を確定することは、
前記第１の端末デバイスがＤＲＸ指示信号の検出のためのＤＲＸ指示信号周期から前記ターゲットＤＲＸ周期を確定することを含み、
前記ＤＲＸ指示信号周期がＮ個のＤＲＸ周期を含み、Ｎが正の整数であり、Ｎ＝Ｍ又はＮ≠Ｍである
ことを特徴とする請求項１に記載の非連続受信の方法。
【請求項３】
前記第１の端末デバイスがＤＲＸ指示信号の検出のためのＤＲＸ指示信号周期において、前記第１の端末デバイスが前記ＤＲＸ指示信号を検出するためのターゲットＤＲＸ周期を確定することは、
前記第１の端末デバイスが前記第１の端末デバイスに対応するオフセット値を確定することと、
前記第１の端末デバイスが前記オフセット値に基づいて、前記ＤＲＸ指示信号周期から前記ターゲットＤＲＸ周期を確定することとを含み、
前記オフセット値は、前記ＤＲＸ指示信号周期における前記ターゲットＤＲＸ周期の位置を示す
ことを特徴とする請求項２に記載の非連続受信の方法。
【請求項４】
前記第１の端末デバイスが前記第１の端末デバイスに対応するオフセット値を確定することは、
前記第１の端末デバイスが前記第１の端末デバイスのデバイス識別子ＵＥ−ＩＤに基づいて、前記オフセット値を確定することを含む
ことを特徴とする請求項３に記載の非連続受信の方法。
【請求項５】
前記オフセット値はｍｏｄ（ＵＥ−ＩＤ，Ｎ）に等しい
ことを特徴とする請求項４に記載の非連続受信の方法。
【請求項６】
前記第１の端末デバイスが前記第１の端末デバイスに対応するオフセット値を確定することは、
前記第１の端末デバイスが前記第１の端末デバイスの常駐セル又はサービングセルのセル識別子Ｃｅｌｌ  ＩＤに基づいて、前記オフセット値を確定することを含む
ことを特徴とする請求項３に記載の非連続受信の方法。
【請求項７】
前記オフセット値はｍｏｄ（Ｃｅｌｌ  ＩＤ，Ｎ）に等しい
ことを特徴とする請求項６に記載の非連続受信の方法。
【請求項８】
前記第１の端末デバイスが前記第１の端末デバイスに対応するオフセット値を確定することは、
前記第１の端末デバイスが前記ネットワークデバイスにより送信された第１の構成情報を受信することを含み、
前記第１の構成情報は、前記オフセット値を示す
ことを特徴とする請求項３に記載の非連続受信の方法。
【請求項９】
前記第１の端末デバイスがＤＲＸ指示信号周期において、前記第１の端末デバイスが前記ＤＲＸ指示信号を検出するためのターゲットＤＲＸ周期を確定する前に、前記方法は、さらに、
前記第１の端末デバイスが、前記ネットワークデバイスによって無線リソース制御ＲＲＣ専用シグナリング、ブロードキャストシグナリング又はメディアアクセス制御要素ＭＡＣ  ＣＥにより送信された第２の構成情報を受信することを含み、
前記第２の構成情報は、前記ＤＲＸ指示信号周期に含まれるＤＲＸ周期の個数Ｎを示す
ことを特徴とする請求項１〜８のいずれか１項に記載の非連続受信の方法。
【請求項１０】
前記ＤＲＸ指示信号は、前記第１の端末デバイスを含む複数の端末デバイスが前記ＤＲＸ指示信号が検出された時点の後のＭ個のＤＲＸ周期におけるアクティブ化期間にウェイクアップ又はスリープするように指示し、
前記複数の端末デバイスは、前記ＤＲＸ指示信号周期におけるＮ個のＤＲＸ周期に対応し、前記Ｎ個のＤＲＸ周期における各ＤＲＸ周期は、対応する端末デバイスが前記ＤＲＸ指示信号を検出するために用いられる
ことを特徴とする請求項１〜９のいずれか１項に記載の非連続受信の方法。
【請求項１１】
前記複数の端末デバイスが複数のデバイスグループにおける１つのデバイスグループに属し、前記第１の端末デバイスが属するデバイスグループが前記第１の端末デバイスのＵＥ−ＩＤ、前記第１の端末デバイスのアクセスレベル、前記デバイスグループを示す構成パラメータに基づいて確定されたものである
ことを特徴とする請求項１０に記載の非連続受信の方法。
【請求項１２】
前記ＤＲＸ指示信号周期の開始のシステムフレームのシステムフレーム番号ＳＦＮは、ｍｏｄ（ＳＦＮ，Ｎ×Ｔ）＝Ｋを満たし、
Ｋは予め設定された自然数であり、ＴはＤＲＸ周期に含まれるシステムフレームの数である
ことを特徴とする請求項１〜１１のいずれか１項に記載の非連続受信の方法。
【請求項１３】
ネットワークデバイスが、第１の端末デバイスに非連続受信ＤＲＸ指示信号を送信するためのターゲットＤＲＸ周期を確定することと、
前記第１の端末デバイスが前記ＤＲＸ指示信号に基づいて、前記ＤＲＸ指示信号が検出された時点の後の前記Ｍ個のＤＲＸ周期におけるアクティブ化期間にウェイクアップ又はスリープするように、前記ネットワークデバイスが前記ターゲットＤＲＸ周期において又は前記ターゲットＤＲＸ周期の前に、前記第１の端末デバイスに前記ＤＲＸ指示信号を送信することとを含み、
前記ＤＲＸ指示信号は、前記第１の端末デバイスが前記ＤＲＸ指示信号が検出された時点の後のＭ個のＤＲＸ周期におけるアクティブ化期間にウェイクアップ又はスリープするように指示し、前記Ｍ個のＤＲＸ周期は、前記第１の端末デバイスのＤＲＸ指示周期であり、Ｍは正の整数である
ことを特徴とする非連続受信の方法。
【請求項１４】
請求項１〜１２のいずれか１項に記載の方法を実行するように構成される
ことを特徴とする端末デバイス。
【請求項１５】
請求項１３に記載の方法を実行するように構成される
ことを特徴とするネットワークデバイス。
【国際調査報告】
2020537834.tif 000015
2020537834.tif 000016
2020537834.tif 000017
2020537834.tif 000018